(57)【要約】  貫通穴を有する、ＬＥＤを装備した回路基板などの第一の構成部品をめくら穴又は貫通穴などの空洞を有する、照明部品などの第二の構成部品と固定する固定部材であって、少なくとも一つのばね復元力を生み出す弾力的な保持部を有し、固定部材を第二の構成部品に繋止する胴体部と、頭部の直径が胴体部の直径と比べて拡大された胴体頭部であって、胴体部の一端に配置された胴体頭部と、第二の構成部品に対して第一の構成部品を所定の押圧力により締め付けるクランプ部材とを有する固定部材を図示、記載しており、このクランプ部材が、ばね復元力を生み出すように弾力的に曲がることが可能であるとともに、胴体頭部の一部であり、第一の構成部品に接して置かれる、ばね復元力を生み出す弾力的なクランプ脚部から構成される。
2016530672.tif 000002
【特許請求の範囲】
【請求項１】
貫通穴（２６）を有する、ＬＥＤを装備した回路基板などの第一の構成部品（２４）をめくら穴又は貫通穴などの空洞（２７）を有する、照明部品などの第二の構成部品（２５）と固定する固定部材（１０）であって、
ばね復元力を生み出す弾力的な少なくとも一つの保持部を有し、固定部材（１０）を第二の構成部品（２５）に繋止する胴体部（１１）と、
頭部の直径が胴体部の直径と比べて拡大された胴体頭部（１２）であって、胴体部（１１）の一端に配置された胴体頭部（１２）と、
第二の構成部品（２５）に対して第一の構成部品（２４）を所定の押圧力により締め付けるクランプ部材と、
を有する固定部材において、
このクランプ部材が、ばね復元力を生み出すように弾力的に曲がることが可能であるとともに、胴体頭部（１２）の一部であり、第一の構成部品に接して置かれる、ばね復元力を生み出す弾力的なクランプ脚部から構成されることを特徴とする固定部材。
【請求項２】
請求項１に記載の固定部材において、
当該の胴体頭部（１２）の一部としてのクランプ脚部が、胴体部の縦軸から、第一の構成部品（２４）の表面に向かって下り傾斜しており、固定部材（１０）を空洞に差し込んだ場合に、第一の構成部品（２４）の表面に突き当たることによって、ばね復元力を増大させる動きをクランプ脚部に生じさせることを特徴とする固定部材。
【請求項３】
請求項１又は２に記載の固定部材において、
当該の胴体部（１１）が、胴体部の縦軸方向の第一の変形線（Ｕ１）に沿った薄板の変形によって得られる少なくとも二つの脚部（１４，１５）から構成されることを特徴とする固定部材。
【請求項４】
請求項１から３までのいずれか一つに記載の固定部材において、
当該の胴体頭部（１２）が、胴体部（１１）の一端に配置された、第一の構成部品（２４）の表面に接して置かれる方向に向けられた羽根部（１７，１８，１９）により構成されることを特徴とする固定部材。
【請求項５】
請求項４に記載の固定部材において、
少なくとも一つの羽根部（１７，１８，１９）がクランプ部材としての役割を果たすことを特徴とする固定部材。
【請求項６】
請求項４又は５に記載の固定部材において、
当該の羽根部（１７，１８）が、胴体部の縦軸方向の変形線（Ｕ１，Ｕ２）に沿った切り込み（Ｓ１，Ｓ２）と、それにより生じる脚部（１４，１５）の頭部終端を第一の構成部品（２４）に接して置くのに適した位置に、特に、第一の構成部品に対して傾斜した位置に変形することとによって得られることを特徴とする固定部材。
【請求項７】
請求項６に記載の固定部材において、
当該の切り込み（Ｓ１，Ｓ２）が、胴体部（１１）の領域における脚部（１４，１５）の脚部区画を互いに分離することと、これらの脚部区画の中の少なくとも一つが胴体部の縦軸に対してばね復元力を生み出すように弾力的に曲がることが可能であることを特徴とする固定部材。
【請求項８】
請求項３から７までのいずれか一つに記載の固定部材において、
胴体部の縦軸方向の第二の変形線（Ｕ２）に沿った薄板の変形によって得られる第三の脚部（１６）が配備され、この第三の脚部が、第三の脚部と第二の脚部（１５）の間に第一の脚部（１４）を収容し、有利には、この第三の脚部（１６）の構成が第二の脚部（１５）と同じであることを特徴とする固定部材。
【請求項９】
請求項３に記載の固定部材において、
当該の脚部（１４，１５）の長さが異なり、長い方の第一の脚部（１４）の胴体頭部（１２）と逆側の自由端が、当該のスプリングアーム（１３）の形の保持部を構成することを特徴とする固定部材。
【請求項１０】
請求項９に記載の固定部材において、
当該の長い方の第一の脚部（１４）の自由端が、変形によって、少なくとも胴体部（１１）の差込方向（Ｘ）に対して直角であるが、有利には、差込方向を向いた方向に向けられることを特徴とする固定部材。
【請求項１１】
請求項９に記載の固定部材において、
当該の短い方の第二の脚部（１５）の胴体頭部（１２）と逆側の自由端が、当該の第一の脚部（１４）のスプリングアーム（１３）のための当接面を構成することを特徴とする固定部材。
【請求項２０１】
貫通穴（２２６）を有する、ＬＥＤを装備した回路基板などの第一の構成部品（２２４）をめくら穴などの管状の空洞（２２７）を有する、照明部品などの第二の構成部品（２２５）と固定する固定部材（２１０）であって、
空洞（２２７）の内側表面（２２８）と少なくとも摩擦接合により結合する、ばね復元力を生み出す弾力的な少なくとも一つの保持部を有する胴体部（２１１）と、
頭部の直径が胴体部の直径と比べて拡大された胴体頭部（２１２）であって、胴体部（２１１）の一端に配置された胴体頭部（２１２）と、
を有する固定部材において、
この胴体部（２１１）が、その胴体頭部（２１２）と逆側の自由端に、このスプリングアーム（２１３）の形のばね復元力を生み出す弾力的な保持部を有することを特徴とする固定部材。
【請求項２０２】
請求項２０１に記載の固定部材において、
この固定部材（２１０）が、薄板から作成した打抜き片（２２２）の変形により得られることを特徴とする固定部材。
【請求項２０３】
請求項２０１又は２０２に記載の固定部材において、
当該の胴体部（２１１）が、胴体部の縦軸方向の第一の変形線（Ｕ１）に沿った薄板の変形によって得られる少なくとも二つの脚部（２１４，２１５）から構成されることを特徴とする固定部材。
【請求項２０４】
請求項２０３に記載の固定部材において、
当該の脚部（２１４，２１５）の長さが異なり、長い方の第一の脚部（２１４）の自由端が、当該のスプリングアーム（２１３）の形の保持部を構成することを特徴とする固定部材。
【請求項２０５】
請求項２０４に記載の固定部材において、
当該の長い方の第一の脚部（２１４）の自由端が、変形によって、少なくとも胴体部（２１１）の差込方向（Ｘ）に対して直角であるが、有利には、差込方向を向いた方向に向けられることを特徴とする固定部材。
【請求項２０６】
請求項２０２から２０５までのいずれか一つに記載の固定部材において、
当該の短い方の第二の脚部（２１５）の胴体頭部（２１２）と逆側の自由端が、当該の第一の脚部（２１４）のスプリングアーム（２１３）のための当接面を構成することを特徴とする固定部材。
【請求項２０７】
請求項２０２から２０６までのいずれか一つに記載の固定部材において、
当該の胴体頭部（２１２）が、胴体部（２１１）のスプリングアーム（２１３）と逆側の端部に配置された羽根部（２１７，２１８，２１９）により構成されることを特徴とする固定部材。
【請求項２０８】
請求項２０３及び２０７に記載の固定部材において、
当該の羽根部（２１７，２１８）が、胴体部の縦軸方向の変形線（Ｕ１，Ｕ２）に沿った切り込み（Ｓ１，Ｓ２）と、それにより生じる脚部（２１４，２１５）の頭部終端を胴体部の縦軸に対してほぼ直角の方向を向いた位置又は第一の構成部品に対して傾斜した位置に変形することとによって得られることを特徴とする固定部材。
【請求項２０９】
請求項２０３から２０８までのいずれか一つに記載の固定部材において、
胴体部の縦軸方向の第二の変形線（Ｕ２）に沿った薄板の変形によって得られる第三の脚部（２１６）が配備され、この第三の脚部が、第三の脚部と第二の脚部（２１５）の間に第一の脚部（２１４）を収容することを特徴とする固定部材。
【請求項２１０】
請求項２０９に記載の固定部材において、
当該の第三の脚部（２１６）の構成が第二の脚部（２１５）と同じであることを特徴とする固定部材。
【請求項２１１】
請求項２０９に記載の固定部材において、
当該の三つの脚部（２１４，２１５，２１６）により構成される胴体部（２１１）がほぼ三角形の横断面を有することを特徴とする固定部材。
【請求項３０１】
拡幅することが可能な胴体部（３１２，３１１２，３２１２）と、
胴体部の一端に配置された胴体頭部（３１６，３１１６，３２１６）であって、胴体部（３１２，３１１２，３２１２）と比べて直径が拡大された胴体頭部（３１６，３１１６，３２１６）と、
ばね復元力を生み出すように弾力的に胴体部（３１２，３１１２，３２１２）を拡幅することが可能な拡幅手段と、
を備えた固定手段（３１０，３１１０，３２１０）であって、
この胴体部（３１２，３１１２，３２１２）が、第一の構成部品（３３３，３１３３，３２３３）の貫通穴（３３８，３１３８，３２３８）を貫通することが可能であり、この胴体頭部（３１６，３１１６，３２１６）が、第一の構成部品（３３３，３１３３，３２３３）に少なくとも間接的に接して配置されるように配備されることと、
この胴体部（３１２，３１１２，３２１２）が、第二の構成部品（３３４，３１３４，３２３４）の空洞（３３９，３１３９，３２３９）内に配置することが可能であることと、
この胴体部（３１２，３１１２，３２１２）が、その拡幅後に、少なくとも摩擦接合により第二の構成部品（３３４，３１３４，３２３４）の空洞（３３９，３１３９，３２３９）内に繋止することが可能であることと、
によって、
この固定手段（３１０，３１１０，３２１０）が、二つの構成部品（３３３，３１３３，３２３３；３３４，３１３４，３２３４）を互いに接して配置するために、特に、ＬＥＤを装備した回路基板（３３５，３１３５，３２３５）を熱を排出する照明部品（３３６，３１３６，３２３６）に配置するために配備される固定手段において、
この固定手段（３１０，３１１０，３２１０）が、胴体頭部（３１６，３１１６，３２１６）と第一の構成部品（３３３，３１３３，３２３３）の間に配置された、胴体頭部（３１６，３１１６，３２１６）と第一の構成部品（３３３，３１３３，３２３３）の接触を防止する絶縁部材（３３０，３１３０，３２３０）を備えることと、
この固定手段（３１０，３１１０，３２１０）が、胴体頭部（３１６，３１１６，３２１６）によって、第二の構成部品（３３４，３１３４，３２３４）に対して第一の構成部品（３３３，３１３３，３２３３）を締め付けるクランプ部材（３４０，３１４０，３２４０）を備えることと、
を特徴とする固定手段。
【請求項３０２】
請求項３０１に記載の固定手段（３１０，３１１０，３２１０）において、
当該の絶縁部材が非導電性材料から構成されることを特徴とする固定手段。
【請求項３０３】
請求項３０１又は３０２に記載の固定手段（３１０，３１１０，３２１０）において、
当該の絶縁部材がばね復元力を生み出す弾力的な材料から構成され、クランプ部材（３４０，３１４０，３２４０）としての役割を果たすことを特徴とする固定手段。
【請求項３０４】
請求項３０１に記載の固定手段（３１０，３１１０，３２１０）において、
当該の拡幅手段がばね復元力を生み出す弾力的な物体であることを特徴とする固定手段。
【請求項３０５】
請求項３０１から３０４までのいずれか一つに記載の固定手段（３１０，３１１０，３２１０）において、
この固定手段（３１０，３１１０，３２１０）が金属から製作されることを特徴とする固定手段。
【請求項３０６】
請求項３０１又は３０２に記載の固定手段（３１０，３１１０，３２１０）において、
当該の胴体部（３１２，３１１２，３２１２）が、第二の構成部品（３３４，３１３４，３２３４）と形状一致結合を形成することが可能な、直径が拡大される保持部、特に、繋止フック（３２０，３１２０，３２２０）を有することを特徴とする固定手段。
【請求項３０７】
請求項３０１から３０６までのいずれか一つに記載の固定手段（３１０，３１１０，３２１０）において、
当該の胴体部（３１２，３１１２，３２１２）が、ばね復元力を生み出す弾力的な二つの胴体羽根部（３１３，３１１３，３２１３）から構成され、これらの胴体羽根部の間に隙間空間（３１７，３１１７，３２１７）を形成することを特徴とする固定手段。
【請求項３０８】
請求項３０１から３０７までのいずれか一つに記載の固定手段（３１０，３１１０，３２１０）において、
当該の絶縁部材（３３０，３１３０，３２３０）が、固定手段（３１０，３１１０，３２１０）の胴体部（３１２，３１１２，３２１２）を通すための貫通穴（３１４３，３２４３）を有することを特徴とする固定手段。
【請求項３０９】
請求項３０１から３０８までのいずれか一つに記載の固定手段（３１０，３１１０，３２１０）において、
当該の絶縁部材（３３０，３１３０，３２３０）が絶縁頭部（３１６，３１１６，３２１６）と絶縁胴体部（３３２，３２３２）を有し、この絶縁胴体部（３３２，３２３２）の自由端（３１４，３１１４，３２１４）が、第一の構成部品（３３３，３１３３，３２３３）の貫通穴（３３８，３１３８，３２３８）を貫通して、第二の構成部品（３３９，３１３９，３２３９）の空洞（３３９，３１３９，３２３９）内に嵌入するが、この絶縁頭部（３１６，３１１６，３２１６）は、胴体頭部（３１６，３１１６，３２１６）と第一の構成部品（３３３，３１３３，３２３３）の間に配置されることを特徴とする固定手段。
【請求項３１０】
請求項３０８と３０９に記載の固定手段（３１０，３１１０，３２１０）において、
当該の絶縁部材（３３０，３１３０，３２３０）が、絶縁頭部側と絶縁胴体部側にそれぞれ少なくとも一つの貫通穴（３１４３，３２４３；３２４５）を有する少なくとも一つの通路（３２４４）を形成することを特徴とする固定手段。
【請求項３１１】
請求項３０７と３１０に記載の固定手段（３１０，３１１０，３２１０）において、
当該の胴体羽根部（３１３，３１１３，３２１３）が、絶縁頭部側と絶縁胴体部側の貫通穴（３１４３，３２４３；３２４５）を通されることを特徴とする固定手段。
【請求項３１２】
請求項３０７に記載の固定手段（３１０，３１１０，３２１０）において、
それぞれ胴体頭部（３１６，３１１６，３２１６）及び胴体羽根部（３１３，３１１３，３２１３）にばね復元力を生み出すように弾力的に配置された、胴体頭部（３１６，３１１６，３２１６）に胴体羽根部（３１３，３１１３，３２１３）を保持する操作器具（３２２５）が配備されていることを特徴とする固定手段。
【請求項３１３】
請求項３１２に記載の固定手段（３１０，３１１０，３２１０）において、
当該の操作器具（３２２５）が、胴体部（３１２，３１１２，３２１２）の方向にばね復元力を生み出すように弾力的に動くことが可能であり、この動きが、この動きと関連した胴体羽根部（３１３，３１１３，３２１３）の拡幅を引き起こすことを特徴とする固定手段。
【請求項３１４】
請求項３１３に記載の固定手段（３１０，３１１０，３２１０）において、
当該の少なくとも一つの胴体羽根部（３１３，３１１３，３２１３）の自由端（３１４，３１１４，３２１４）がスプリング部材を備え、このスプリング部材が、別の胴体羽根部（３１３，３１１３，３２１３）に支持されており、二つの胴体羽根部（３１３，３１１３，３２１３）を拡幅位置に押し出すことを特徴とする固定手段。
【請求項３１５】
請求項３１４に記載の固定手段（３１０，３１１０，３２１０）において、
当該の少なくとも一つの胴体羽根部（３１３，３１１３，３２１３）の自由端（３１４，３１１４，３２１４）が変形されて、別の胴体羽根部（３１３，３１１３，３２１３）に支持されたスプリング脚部（３１２６）の形のスプリング部材を構成することを特徴とする固定手段。
【請求項３１６】
請求項３１４に記載の固定手段（３１０，３１１０，３２１０）において、
二つの胴体羽根部（３１３、３１１３、３２１３）が、それぞれ一つのスプリング部材を備えて、これらのスプリング部材が互いに接して支持し合うことを特徴とする固定手段。
【請求項３１７】
請求項３０９に記載の固定手段（３１０，３１１０，３２１０）において、
当該の絶縁胴体部（３３２，３２３２）が、ばね復元力を生み出す弾力的な材料から構成されて、拡幅手段としての役割を果たすことを特徴とする固定手段。
【請求項３１８】
請求項３０７と３０９に記載の固定手段（３１０，３１１０，３２１０）において、
当該の絶縁胴体部（３３２，３２３２）が、胴体羽根部（３１３，３１１３，３２１３）の間に配置されて、これらの胴体羽根部を拡幅位置に押し出すことを特徴とする固定手段。
【請求項３１９】
請求項３０６に記載の固定手段（３１０，３１１０，３２１０）において、
胴体頭部の下側と保持部の間の間隔が、絶縁部材（３３０，３１３０，３２３０）、第一の構成部品（３３３，３１３３，３２３３）及び第二の構成部品（３３４，３１３４，３２３４）から成る、胴体部の軸方向に測った厚さ全体よりも小さいことを特徴とする固定手段。
【請求項３２０】
請求項３０１から３１９までのいずれか一つに記載の固定手段（３１０，３１１０，３２１０）、第一の構成部品（３３３，３１３３，３２３３）及び第二の構成部品（３３４，３１３４，３２３４）から成る装置であって、
胴体頭部（３１６，３１１６，３２１６）が絶縁部材（３３０，３１３０，３２３０）に接して配置され、絶縁部材（３３０，３１３０，３２３０）が第一の構成部品（３３３，３１３３，３２３３）に接して配置され、第一の構成部品（３３３，３１３３，３２３３）が第二の構成部品（３３４，３１３４，３２３４）に接して配置された装置において、
クランプ部材（３４０，３１４０，３２４０）が胴体頭部（３１６，３１１６，３２１６）で支持されて、第一と第二の構成部品（３３３，３１３３，３２３３；３３４，３１３４，３２３４）の間に互いに対抗する押圧力を加えることを特徴とする装置。
【請求項３２１】
請求項３２０に記載の装置であって、請求項３０３に記載の固定手段（３１０，３１１０，３２１０）を使用する装置において、
絶縁部材（３３０，３１３０，３２３０）が、固定手段（３１０，３１１０，３２１０）によって第一の構成部品（３３３，３１３３，３２３３）に対して締め付けられて、それにより引き起こされたばね復元力が、第一と第二の構成部品（３３３，３１３３，３２３３；３３４，３１３４，３２３４）の間に押圧力を加えることを特徴とする装置。
【請求項３２２】
請求項３２０に記載の装置であって、請求項３０６と３１３に記載の固定手段（３１０，３１１０，３２１０）を使用する装置において、
操作器具（３２２５）のばね復元力が、第一の構成部品（３３３，３１３３，３２３３）に対して胴体頭部（３１６，３１１６，３２１６）を締め付けて、第一と第二の構成部品（３３３，３１３３，３２３３；３３４，３１３４，３２３４）の間にばね復元力を加えることを特徴とする装置。
【請求項４０１】
胴体部（４１１２）と、
胴体部の一端に配置された胴体頭部（４１１６）であって、胴体部（４１１２）と比べて直径が拡大された胴体頭部（４１１６）と、
を備えた固定手段（４１１０）であって、
この胴体部（４１１２）が、第一の構成部品（４１３３）の貫通穴（４１３８）を貫通することが可能であり、この胴体頭部（４１１６）が、第一の構成部品（４１３３）に少なくとも間接的に接して配置されるように配備されることと、
この胴体部（４１１２）が、第二の構成部品（４１３４）の空洞（４１３９）内に配置することが可能であることと、
この胴体部（４１１２）が、少なくとも摩擦接合により第二の構成部品（４１３４）の空洞（４１３９）内に繋止することが可能であることと、
によって、
この固定手段（４１１０）が、二つの構成部品（４１３３，４１３４）を互いに接して配置するために、特に、ＬＥＤを装備した回路基板（４１３５）を熱を排出する照明部品（４１３６）に配置するために配備される固定手段において、
この固定手段（４１１０）が、胴体頭部（４１１６）と第一の構成部品（４１３３）の間に配置された、胴体頭部（４１１６）と第一の構成部品（４１３３）の接触を防止する絶縁部材（４１３０）を備えることと、
この固定手段（４１１０）が、胴体頭部（４１１６）によって、第二の構成部品（４１３４）に対して第一の構成部品（４１３３）を締め付けるクランプ部材を備えることと、
を特徴とする固定手段。
【請求項４０２】
請求項４０１に記載の固定手段（４１１０）において、
当該の絶縁部材が非導電性材料から構成されることを特徴とする固定手段。
【請求項４０３】
請求項４０１又は４０２に記載の固定手段（４１１０）において、
当該の絶縁部材がばね復元力を生み出す弾力的な材料から構成され、クランプ部材としての役割を果たすことを特徴とする固定手段。
【請求項４０４】
請求項４０１から４０３までのいずれか一つに記載の固定手段（４１１０）において、
この固定手段（４１１０）が金属から製作されることを特徴とする固定手段。
【請求項４０５】
請求項４０１から４０４までのいずれか一つに記載の固定手段（４１１０）において、
当該の胴体部（４１１２）が、第二の構成部品（４１３４）と形状一致結合を形成することが可能な、直径が拡大される保持部、特に、繋止フック（４１２０）を有することを特徴とする固定手段。
【請求項４０６】
請求項４０１から４０５までのいずれか一つに記載の固定手段（４１１０）において、
当該の絶縁部材（４１３０）が、固定手段（４１１０）の胴体部（４１１２）を通すための貫通穴を有することを特徴とする固定手段。
【請求項４０７】
請求項４０１から４０６までのいずれか一つに記載の固定手段（４１１０）において、
当該の胴体部（４１１２）が二つの平行な胴体羽根部（４１１３）から構成されることを特徴とする固定手段。
【請求項４０８】
請求項４０７に記載の固定手段（４１１０）において、
当該の少なくとも一つの胴体羽根部（４１１３）の自由端（４１１４）が変形されて、別の胴体羽根部（４１１３）に支持された支持部材を構成することを特徴とする固定手段。
【請求項４０９】
請求項４０８に記載の固定手段（４１１０）において、
二つの胴体羽根部（４１１３）が、それぞれ一つの支持部材を備えて、これらの支持部材が互いに接して支持し合うことを特徴とする固定手段。
【請求項４１０】
請求項４０１から４０９までのいずれか一つに記載の固定手段（４１１０）、第一の構成部品（４１３３）及び第二の構成部品（４１３４）から成る装置であって、
胴体頭部（４１１６）が絶縁部材（４１３０）に接して配置され、絶縁部材（４１３０）が第一の構成部品（４１３３）に接して配置され、第一の構成部品（４１３３）が第二の構成部品（４１３４）に接して配置された装置において、
クランプ部材（４１４０）が胴体頭部（４１１６）で支持されて、第一と第二の構成部品（４１３３，４１３４）の間に互いに対抗する押圧力を加えることを特徴とする装置。
【請求項４１１】
請求項４１０に記載の装置であって、請求項４０３に記載の固定手段（４１１０）を使用する装置において、
絶縁部材（４１３０）が、固定手段（４１１０）によって第一の構成部品（４１３３）に対して締め付けられて、それにより引き起こされたばね復元力が、第一と第二の構成部品（４１３３，４１３４）の間に押圧力を加えることを特徴とする装置。
【請求項５０１】
拡幅することが可能な胴体部（５２１２）と、
胴体部の一端に配置された胴体頭部（５２１６）であって、胴体部（５２１２）と比べて直径が拡大された胴体頭部（５２１６）と、
ばね復元力を生み出すように弾力的に胴体部（５２１２）を拡幅することが可能な拡幅手段と、
を備えた固定手段（５２１０）であって、
この胴体部（５２１２）が、第一の構成部品（５２３３）の貫通穴（５２３８）を貫通することが可能であり、この胴体頭部（５２１６）が、第一の構成部品（５２３３）に少なくとも間接的に接して配置されるように配備されることと、
この胴体部（５２１２）が、第二の構成部品（５２３４）の空洞（５２３９）内に配置することが可能であることと、
この胴体部（５２１２）が、その拡幅後に、少なくとも摩擦接合により第二の構成部品（５２３４）の空洞（５２３９）内に繋止することが可能であることと、
によって、
この固定手段（５２１０）が、二つの構成部品（５２３３，５２３４）を互いに接して配置するために、特に、ＬＥＤを装備した回路基板（５２３５）を熱を排出するとともに保持する役割を果たす照明部品（５２３６）に配置するために配備される固定手段において、
この固定手段（５２１０）が、胴体頭部（５２１６）によって、第二の構成部品（５２３４）に対して第一の構成部品（５２３３）を締め付けるクランプ部材（５２４０）を備えることと、
を特徴とする固定手段。
【請求項５０２】
請求項５０１に記載の固定手段において、
当該の胴体部（５２１２）が二つの胴体羽根部（５２１３）から構成されることを特徴とする固定手段。
【請求項５０３】
請求項５０１又は５０２に記載の固定手段において、
当該の胴体頭部（５２１６）がリング形状に構成されて、リング空間（５２４７）を形成することを特徴とする固定手段。
【請求項５０４】
請求項５０２に記載の固定手段において、
当該の胴体頭部（５２１６）が、その構成部品（５２３３，５２３４）と逆の方を向いた上側に、胴体羽根部（５２１３）を拡幅位置に動かすことが可能な少なくとも一つの操作器具（５２２５）を備えることを特徴とする固定手段。
【請求項５０５】
請求項５０４に記載の固定手段において、
当該の操作器具（５２２５）が、スプリング部材（５２２６）を用いて、胴体頭部（５２１６）にばね復元力を生み出すように弾力的に配置されており、このスプリング部材（５２２６）がクランプ部材（５２４０）としての役割を果たすことを特徴とする固定手段。
【請求項５０６】
請求項５０２、５０３及び５０４に記載の固定手段において、
当該の胴体羽根部（５２１３）が、構成部品（５２３３，５２３４）の方を向いた下側から、リング空間（５２４７）を通って、上側に配置された操作器具（５２２５）にまで延びて、操作器具（５２２５）と連結されており、その結果、操作器具（５２２５）が、胴体羽根部（５２１３）を胴体頭部（５２１６）に保持することを特徴とする固定手段。
【請求項５０７】
請求項５０１から５０６までのいずれか一つに記載の固定手段において、
この固定手段（５２１０）が金属から製作されることを特徴とする固定手段。
【請求項５０８】
請求項５０１から５０７までのいずれか一つに記載の固定手段において、
当該の胴体部（５２１２）が、第二の構成部品（５２３４）と形状一致結合を形成することが可能な、直径が拡大される支持部、特に、繋止フック（５２２０）を有することを特徴とする固定手段。
【請求項５０９】
請求項５０６に記載の固定手段において、
当該の操作器具（５２２５）が、胴体部（５２１２）の方向にばね復元力を生み出すように弾力的に動くことが可能であり、この動きが、この動きと関連した胴体羽根部（５２１３）の拡幅を引き起こすことを特徴とする固定手段。
【請求項５１０】
請求項５０１から５０９までのいずれか一つに記載の固定手段において、
当該の胴体頭部（５２１６）が、第一の構成部品（５２３３）の貫通穴（５２３８）に嵌入する、胴体部に対して平行な方向を向く心出し機構（５２４６）を有することを特徴とする固定手段。
【発明の詳細な説明】
【技術分野】
【０００１】
［第一グループの発明］
本発明は、貫通穴を有する、ＬＥＤを装備した回路基板などの第一の構成部品と、めくら穴又は貫通穴などの空洞を有する、照明部品などの第二の構成部品とを固定する固定部材であって、
この固定部材を第二の構成部品に繋止する、ばね復元力を生み出す弾力的な少なくとも一つの保持部を有する胴体部と、
頭部の直径が胴体部の直径と比べて拡大された胴体頭部であって、この胴体部の一端に配置された胴体頭部と、
第二の構成部品に対して第一の構成部品を所定の押圧力により締め付けるクランプ部材と、
を備えた固定部材に関する。
【０００２】
［第二グループの発明］
本発明は、貫通穴を有する、ＬＥＤを装備した回路基板などの第一の構成部品と、めくら穴などの管状の空洞を有する、照明部品などの第二の構成部品とを固定する固定部材であって、
この空洞の内側表面と少なくとも摩擦接合により結合する、ばね復元力を生み出す弾力的な保持部を有する胴体部と、頭部の直径が胴体部の直径と比べて拡大された胴体頭部であって、この胴体部の一端に配置された胴体頭部とを備えた固定部材に関する。
【０００３】
［第三グループの発明］
本発明は、拡幅することが可能な胴体部と、胴体部の一端に配置された胴体頭部であって、胴体部と比べて直径が拡大された胴体頭部と、ばね復元力を生み出すように弾力的に胴体部を拡幅することが可能な拡幅手段とを備えた固定手段であって、
この胴体部が第一の構成部品の貫通穴を貫通することが可能であり、この胴体頭部が、第一の構成部品と少なくとも間接的に接して配置されるように配備されることと、この胴体部が、第二の構成部品の空洞内に配置することが可能であることと、この胴体部が、その拡幅後に、少なくとも摩擦接合により第二の構成部品の空洞内に繋止することが可能であることとによって、この固定手段が、二つの構成部品を互いに接して配置するために、特に、ＬＥＤを装備した回路基板を熱を排出する照明部品に配置するために配備される固定手段に関する。
【０００４】
［第四グループの発明］
本発明は、胴体部と、胴体部の一端に配置された胴体頭部であって、胴体部と比べて直径が拡大された胴体頭部とを備えた固定手段であって、
この胴体部が第一の構成部品の貫通穴を貫通することが可能であり、この胴体頭部が、第一の構成部品と少なくとも間接的に接して配置されるように配備されることと、この胴体部が、第二の構成部品の空洞内に配置することが可能であることと、この胴体部が、少なくとも摩擦接合により第二の構成部品の空洞内に繋止することが可能であることとによって、この固定手段が、二つの構成部品を互いに接して配置するために、特に、ＬＥＤを装備した回路基板を熱を排出する照明部品に配置するために配備される固定手段に関する。
【０００５】
［第五グループの発明］
本発明は、拡幅することが可能な胴体部と、胴体部の一端に配置された胴体頭部であって、胴体部と比べて直径が拡大された胴体頭部と、ばね復元力を生み出すように弾力的に胴体部を拡幅することが可能な拡幅手段とを備えた固定手段であって、
この胴体部が第一の構成部品の貫通穴を貫通することが可能であり、この胴体頭部が、第一の構成部品と少なくとも間接的に接して配置されるように配備されることと、この胴体部が、第二の構成部品の空洞内に配置することが可能であることと、この胴体部が、その拡幅後に、少なくとも摩擦接合により第二の構成部品の空洞内に繋止することが可能であることとによって、この固定手段が、二つの構成部品を互いに接して配置するために、特に、ＬＥＤを装備した回路基板を熱を排出する照明部品に配置するために配備される固定手段に関する。
【背景技術】
【０００６】
［第一グループの発明］
そのような固定部材は、照明産業の分野では、これまで知られていない。しかし、類似の固定部材は自動車工学の分野に存在する。それに関して、例えば、特許文献１を参照する。そこでは、その部材は、通常内装部品を車両の車体に固定する役割を果たしている。そのために、内装部品は、貫通穴、例えば、内装部品の厚さ全体を貫通する穴を有する。車体側には、通常同じく穴を有する薄板部品が配備されている。これらの内装部品の貫通穴と車体の穴の位置を揃える。更に、しばしばエクスパンディング・リベットとも呼ばれる、その固定部材は、貫通穴を通して穴の中に差し込まれる。その車体側の穴へのエクスパンディング・リベットの固定は、例えば、固定部材の胴体部に形成されたプラスチック製フィンによって、摩擦接合により行なうことができる。固定部材の繋止フックが繋止穴に嵌入することによって、繋止接続することも可能である。
【０００７】
照明器具産業の分野では、光源としてＬＥＤを備えた照明器具が益々製造されている。現在決まったＬＥＤ形式が定着している。即ち、ＬＥＤをプレート上に取り付けて、それを照明器具産業の供給部品として更なる用途のために提供することが一般的である。確かに、プレートの種類、材料及び形状が、そこに取り付けられるＬＥＤの数及び配置と同様に変化するが、そのプレートを照明部品に固定することは如何なる場合でも必要である。その場合、照明部品へのプレートの均一で平坦な押し付けは、ＬＥＤの最適な熱の排出を保証する。
【０００８】
従来技術では、特許文献２又は３により、そのようなプレートのための接続部品が周知である。それらは、プレートの固定形態をプレートに配置されたＬＥＤの電圧供給手段と一体化している。
【０００９】
［第二グループの発明］
そのような固定部材は、照明産業の分野では、これまで知られていない。しかし、類似の固定部材は自動車工学の分野に存在する。それに関して、例えば、特許文献１を参照する。そこでは、その部材は、通常内装部品を車両の車体に固定する役割を果たしている。そのために、内装部品は、貫通穴、例えば、内装部品の厚さ全体を貫通する穴を有する。車体側には、通常同じく穴を有する薄板部品が配備されている。これらの内装部品の貫通穴と車体の穴の位置を揃える。更に、しばしばエクスパンディング・リベットとも呼ばれる、その固定部材は、貫通穴を通して穴の中に差し込まれる。その車体側の穴へのエクスパンディング・リベットの固定は、例えば、固定部材の胴体部に形成されたプラスチック製フィンによって、摩擦接合により行なうことができる。固定部材の繋止フックが繋止穴に嵌入することによって、繋止接続することも可能である。
【００１０】
照明器具産業の分野では、光源としてＬＥＤを備えた照明器具が益々製造されている。現在決まったＬＥＤ形式が定着している。即ち、ＬＥＤをプレート上に取り付けて、それを照明器具産業の供給部品として更なる用途のために提供することが一般的である。確かに、プレートの種類、材料及び形状が、そこに取り付けられるＬＥＤの数及び配置と同様に変化するが、そのプレートを照明部品に固定することは如何なる場合でも必要である。その場合、照明部品へのプレートの均一で平坦な押し付けは、ＬＥＤの最適な熱の排出を保証する。
【００１１】
従来技術では、特許文献２又は３により、そのようなプレートのための接続部品が周知である。それらは、プレートの固定形態をプレートに配置されたＬＥＤの電圧供給手段と一体化している。
【００１２】
未だ公開されていない従来技術では、特許文献４と５の固定部材が知られている。
【００１３】
［第三グループの発明］
この形式の固定手段は、出願人にとって照明技術の従来技術において周知ではない。
【００１４】
しかし、類似の固定手段は自動車産業に存在し、そこでは、エクスパンディング・リベットと呼ばれている。即ち、類似の固定手段は、例えば、本発明の技術分野外の特許文献１により周知である。そのエクスパンディング・リベットは、自動車産業の分野において、通常内装部品を車両の車体に固定するために使用される。
【００１５】
照明技術では、光源としてＬＥＤが益々使用されている。一般的にＬＥＤは、通常の場合良好な熱伝導性能を有するプレート上に配置される。そのプレートの上側には、ＬＥＤを電気的に終端するための導体路が有る。それらの導体路は、金属部品に対して間隔を開けるか、或いは絶縁しなければならない。それらのプレートは、例えば、冷却体として構成された、照明部品又は照明器具筐体自体の一部であるエンドサポート上に固定される。プレートを照明部品に取り付ける場合、正しく選定された当接圧力がＬＥＤから照明部品への熱の排出品質に関する重要な要因であるので、それには重要な意味が有る。
【００１６】
例えば、特許文献２により、ＬＥＤを装備したプレートを個別的に照明部品上に固定する固定部材が周知である。そこでは、リング形状の接続部材がプレート上に搭載されて、それ自身とエンドサポート、例えば、冷却体の間でプレートを支えている。その接続部材は、ネジ込みによって、エンドサポートと連結される。そのネジ込みの締付トルクがプレートとエンドサポートの間の押圧力を規定する。
【００１７】
様々な形式のＬＥＤ照明器具の増加する大量生産は、自動化された製作方法に採用することが可能な、ＬＥＤを装備したプレートのための固定手段を必要としている。その際、そのような固定手段には、プレートの持続的な保持と当接圧力の持続的な維持に関する高い要件が課され、それは、光源としてのＬＥＤの５０，０００時間までの予測寿命を根拠としている。
【００１８】
［第四グループの発明］
この形式の固定手段は、出願人にとって照明技術の従来技術において周知ではない。
【００１９】
しかし、類似の固定手段は自動車産業に存在し、そこでは、エクスパンディング・リベットと呼ばれている。即ち、類似の固定手段は、例えば、本発明の技術分野外の特許文献１により周知である。そのエクスパンディング・リベットは、自動車産業の分野において、通常内装部品を車両の車体に固定するために使用される。
【００２０】
照明技術では、光源としてＬＥＤが益々使用されている。一般的にＬＥＤは、通常の場合良好な熱伝導性能を有するプレート上に配置される。そのプレートの上側には、ＬＥＤを電気的に終端するための導体路が有る。それらの導体路は、金属部品に対して間隔を開けるか、或いは絶縁しなければならない。それらのプレートは、例えば、冷却体として構成された、照明部品又は照明器具筐体自体の一部であるエンドサポート上に固定される。プレートを照明部品に取り付ける場合、正しく選定された当接圧力がＬＥＤから照明部品への熱の排出品質に関する重要な要因であるので、それには重要な意味が有る。
【００２１】
例えば、特許文献２により、ＬＥＤを装備したプレートを個別的に照明部品上に固定する固定部材が周知である。そこでは、リング形状の接続部材がプレート上に搭載されて、それ自身とエンドサポート、例えば、冷却体の間でプレートを支えている。その接続部材は、ネジ込みによって、エンドサポートと連結される。そのネジ込みの締付トルクがプレートとエンドサポートの間の押圧力を規定する。
【００２２】
様々な形式のＬＥＤ照明器具の増加する大量生産は、自動化された製作方法に採用することが可能な、ＬＥＤを装備したプレートのための固定手段を必要としている。その際、そのような固定手段には、プレートの持続的な保持と当接圧力の持続的な維持に関する高い要件が課され、それは、光源としてのＬＥＤの５０，０００時間までの予測寿命を根拠としている。
【００２３】
［第五グループの発明］
この形式の固定手段は、出願人にとって照明技術の従来技術において周知ではない。
【００２４】
しかし、類似の固定手段は自動車産業に存在し、そこでは、エクスパンディング・リベットと呼ばれている。即ち、類似の固定手段は、例えば、本発明の技術分野外の特許文献１により周知である。そのエクスパンディング・リベットは、自動車産業の分野において、通常内装部品を車両の車体に固定するために使用される。
【００２５】
照明技術では、光源としてＬＥＤが益々使用されている。一般的にＬＥＤは、通常の場合良好な熱伝導性能を有するプレート上に配置される。そのプレートの上側には、ＬＥＤを電気的に終端するための導体路が有る。それらの導体路は、金属部品に対して間隔を開けるか、或いは絶縁しなければならない。それらのプレートは、例えば、冷却体として構成された、照明部品又は照明器具筐体自体の一部であるエンドサポート上に固定される。プレートを照明部品に取り付ける場合、正しく選定された当接圧力がＬＥＤから照明部品への熱の排出品質に関する重要な要因であるので、それには重要な意味が有る。
【００２６】
例えば、特許文献２により、ＬＥＤを装備したプレートを個別的に照明部品上に固定する固定部材が周知である。そこでは、リング形状の接続部材がプレート上に搭載されて、それ自身とエンドサポート、例えば、冷却体の間でプレートを支えている。その接続部材は、ネジ込みによって、エンドサポートと連結される。そのネジ込みの締付トルクがプレートとエンドサポートの間の押圧力を規定する。
【００２７】
様々な形式のＬＥＤ照明器具の増加する大量生産は、自動化された製作方法に採用することが可能な、ＬＥＤを装備したプレートのための固定手段を必要としている。それは、機械による処理及び／又は速く一義的で確実な手動による取り付けを保証することを意味する。その際、そのような固定手段には、プレートの持続的な保持と当接圧力の持続的な維持に関する高い要件が課され、それは、光源としてのＬＥＤの５０，０００時間までの予測寿命を根拠としている。
【先行技術文献】
【特許文献】
【００２８】
【特許文献１】国際特許公開第２００５／０７１２７３号明細書
【特許文献２】ドイツ特許第１０２００８００５８２３号明細書
【特許文献３】ドイツ特許第１０２０１２００３５２０号明細書
【特許文献４】ドイツ特許出願第１０２０１３０１１７１４号明細書
【特許文献５】ドイツ特許出願第１０２０１３０１１７１３号明細書
【発明の概要】
【発明が解決しようとする課題】
【００２９】
［第一グループの発明］
これらの固定と電圧供給を一体化した接続部品が多くの場合に有利であっても、変化するプレート形態と照明器具の別の固定方法のためには、大幅に自動化された製作に採用することが可能な固定手段が必要となる。更に、良好な熱伝導を保証するためには、これらの接続部品が所定の押圧によりＬＥＤのプレートを照明部品上に保持することが必要である。
【００３０】
［第二グループの発明］
これらの公開された固定と電圧供給を一体化した接続部品が多くの場合に有利であっても、変化するプレート形態と照明器具の別の固定方法のためには、大幅に自動化された製作に採用することが可能な固定手段が必要となる。
【００３１】
［第三グループの発明］
以上のことから、本発明の課題は、ＬＥＤと照明部品の間の所定の当接圧力を保証する、照明器具の自動化された製作に適した固定部材を提供することである。
【００３２】
［第四グループの発明］
以上のことから、本発明の課題は、ＬＥＤと照明部品の間の所定の当接圧力を保証する、照明器具の自動化された製作に適した固定部材を提供することである。
【００３３】
［第五グループの発明］
以上のことから、本発明の課題は、ＬＥＤと照明部品の間の所定の当接圧力を保証する、照明器具の自動化された製作に適した固定部材を提供することである。
【課題を解決するための手段】
【００３４】
［第一グループの発明］
この課題は、請求項１の特徴、特に、クランプ部材が、ばね復元力を生み出すように弾力的に曲がることが可能であるとともに、胴体頭部の一部であるばね復元力を生み出す弾力的なクランプ脚部から構成され、このクランプ脚部が第一の構成部品に接して置かれるとの特徴部の特徴を有する固定手段によって解決される。
【００３５】
本発明の利点は、前述した固定部材により、回路基板の貫通穴を通して照明部品の空洞内に胴体部を簡単に挿入することによって、プレートを照明部品に確実に固定する手法が得られることである。この場合、固定部材は、有利な形態では、金属から製作され、その際、打抜き加工部材の変形により作成される。そのようにして、自動車技術の異質な従来技術と比べて非常に小さい固定部材において高い材料安定性が保証される。ここで提案した固定部材は、通常６ｍｍ以内の直径の胴体頭部と最大３ｍｍの直径で７ｍｍ以内の胴体部の長さを有する。
【００３６】
本発明の主要な利点は、胴体頭部自体が、クランプ脚部を有するクランプ部材を構成することである。そのため、クランプ頭部が、二つの構成部品、即ち、ＬＥＤプレートと照明部品の所定の相互位置を保証するクランプ機能を果たす。製作と取付を負担のかかるものとする可能性の有る追加の構成部品が不要となる。
【００３７】
特に、そのようにして、薄板から作成された打抜き片の変形によって固定部材を得ることが可能となり、それは効率的な製作を可能とする。
【００３８】
胴体頭部の一部としてのクランプ脚部が、胴体部の縦軸から、第一の構成部品の表面に向かって下り傾斜しており、固定部材を空洞に差し込んだ場合に、第一の構成部品の表面に突き当たることによって、ばね復元力を増大させる動きをクランプ脚部に起こすと規定される。
【００３９】
胴体部の一端に配置されて、第一の構成部品の表面に当接する方向に向けられた羽根部により胴体頭部を構成することを考慮した場合、胴体頭部を構成する羽根部は、クランプ脚部として構成することができ、そのため、二つの機能を果たすことは明らかである。それは、一方で、固定部材を第一の構成部品に保持し、他方で、二つの構成部品を互いに締め付けるクランプ力を加える役割を果たす。
【００４０】
具体的には、この胴体部は、胴体部の縦軸方向の第一の変形線に沿った薄板の変形によって得られる少なくとも二つの脚部から構成されると規定される。
【００４１】
更に、具体的な実施構成では、これらの羽根部が、胴体部の縦軸方向の変形線に沿った切り込みと、それにより作り出される脚部の頭部終端を第一の構成部品に設置するのに適した位置、特に、第一の構成部品に対して傾斜した位置に変形することとによって得られると規定される。
【００４２】
これらの切り込みが胴体部の領域における脚部区画を互いに分離することと、これらの脚部区画の中の少なくとも一つがばね復元力を生み出すように弾力的に胴体部の縦軸に向かって曲がることが可能であることとを特徴とする実施構成が特に有利である。
【００４３】
この胴体部のばね復元力を生み出すように弾力的に構成された脚部区画の主要な利点は、それらが胴体頭部のクランプ機能を一層支援することであると看做すことができる。即ち、第一の構成部品の貫通穴を通して第二の構成部品の空洞内に固定部材を差し込む場合、先ずは胴体頭部のクランプ脚部が第一の構成部品の表面に突き当たる。前述した実施構成によると、それらは、胴体部の縦軸から、第一の構成部品の表面に対して傾斜している場合、ばね復元力の増大により、差込方向Ｘと逆側に曲がり、そのようにして早くも或る程度のクランプ力を加える。更に、胴体部のばね復元力を生み出す弾力的な脚部区画が胴体部の縦軸方向に移動すると、更なるばね復元力の増大により、互いに固定すべき構成部品に作用するクランプ力を強化することとなる。
【００４４】
胴体部の縦軸方向の第二の変形線に沿った薄板の変形によって得られる第三の脚部を配備して、この第三の脚部と第二の脚部の間に第一の脚部を収容し、有利には、この第三の脚部の構成が第二の脚部と同じであり、特に、それらの脚部の長さが異なり、長い方の第一の脚部の胴体頭部と逆側の自由端がスプリングアームの形の保持部を構成すると規定される。
【００４５】
更に、この長い方の第一の脚部の自由端が、変形によって、少なくとも胴体部の差込方向Ｘに対して直角であるが、有利には、差込方向を向いた方向に向けられると規定される。
【００４６】
短い方の第二の脚部の胴体頭部と逆側の自由端が第一の脚部のスプリングアームのための当接面を構成すると規定される。
【００４７】
更に、胴体部方向における胴体頭部の下に、絶縁部材、例えば、エラストマー円板が配置されると規定される。それは、有利には、固定部材の胴体部を通すための中央の貫通穴を有する。この絶縁部材は、先ずは、例えば、導体路などの導電性部品に対して固定部材の金属製頭部を絶縁する機能を有する。更に、それがばね復元力を生み出す弾力的な絶縁部材である場合、この部材は、固定部材を差し込んだ時に、ばね復元力を生み出すように弾力的に変形して、差込方向を向いた力を加えることができる。
【００４８】
前述した通り、この胴体部は、少なくとも二つの脚部から構成される場合、胴体部の縦軸方向の第一の変形線に沿った薄板の変形によって得られる。
【００４９】
この実施構成の主要な利点は、そのようにして胴体部が曲げ力及び座屈力に対して安定することである。
【００５０】
脚部の長さが異なり、長い方の第一の脚部の自由端がスプリングアームの形の保持部を構成して、更に、長い方の第一の脚部の自由端が、変形によって、少なくとも胴体部の差込方向に対して直角であるが、有利には、差込方向を向いた方向に向けられると規定される場合、スプリングアームの形の保持部材を容易かつ経済的に製作できることが保証される。スプリングアームが第一の脚部に繋がっていることによって、スプリングアームは、めくら穴の直径よりも大きい長さを持つことができ、それは、スプリング特性に良い作用を及ぼし、可塑的な変形を防止する。
【００５１】
短い方の第二の脚部の胴体頭部と逆側の自由端は、第一の脚部のスプリングアームのための当接面を構成することができる。この場合、当接面は、ばね復元力を上回って、可塑的な変形を引き起こす位置変化に達することから、ばね復元力を生み出す弾力的なスプリングアームを保護するように配置される。即ち、スプリングアームのばね復元力が固定部材を照明部品側の空洞内に確実に保持し、そのようにしてプレートを照明部品に固定するのに十分であることを保証している。
【００５２】
この胴体頭部は、有利には、胴体部のスプリングアームと逆側の端部に配置された羽根部により構成され、特に、これらの羽根部は、胴体部の縦軸方向の変形線に沿った切り込みと、それにより作り出される脚部の頭部終端を胴体部の縦軸に対してほぼ直角の方向を向く位置に変形することとによって得られる。これらの羽根部は、それらの端部が構成部品に対して傾斜している場合、弾力的な絶縁体の無い使用時に、その弾力的な絶縁体の機能を果たして、構成部品に軸方向のクランプ力を加えることができる。そのようにして、固定部材が、特に、その頭部が、打抜き片の変形の範囲内で容易かつ効率的に製作できることを保証している。
【００５３】
この固定部材の胴体部の安定性を一層改善するために、胴体部の縦軸方向の第二の変形線に沿った薄板の変形によって得られる第三の脚部を配備して、この第三の脚部と第二の脚部の間に第一の脚部を収容すると規定される。この場合、第三の脚部の構成が第二の脚部と同じであると規定される。更に、これらの三つの脚部から構成される胴体部がほぼ三角形の横断面を有することを特徴とする実施構成が有利である。
【００５４】
本発明の更に別の利点及びより良好な理解は、以下における実施例の記述から得られる。
【００５５】
［第二グループの発明］
この課題は、請求項２０１の特徴、特に、胴体部が、その胴体頭部と逆側の自由端に、スプリングアームの形のばね復元力を生み出す弾力的な保持部を有するとの特徴部の特徴を有する固定手段によって解決される。
【００５６】
本発明の利点は、前述した固定部材により、回路基板の貫通穴を通して照明部品の空洞内に胴体部を簡単に挿入することによって、プレートを照明部品に確実に固定する手法が得られることである。この場合、固定部材は、有利な形態では、金属から製作され、その際、打抜き加工部材の変形により作成される。そのようにして、自動車技術の異質な従来技術と比べて非常に小さい固定部材において高い材料安定性が保証される。ここで提案した固定部材は、通常６ｍｍ以内の直径の胴体頭部と最大３ｍｍの直径で７ｍｍ以内の胴体部の長さを有する。
【００５７】
更に、胴体部方向における胴体頭部の下に、絶縁部材、例えば、エラストマー円板が配置されると規定される。それは、有利には、固定部材の胴体部を通すための中央の貫通穴を有する。この絶縁部材は、先ずは、例えば、導体路などの導電性部品に対して固定部材の金属製頭部を絶縁する機能を有する。更に、それがばね復元力を生み出す弾力的な絶縁部材である場合、この部材は、固定部材を差し込んだ時に、ばね復元力を生み出すように弾力的に変形して、差込方向を向いた力を加えることができる。それによって、構成部品の間の所定の押圧力を実現することができる。
【００５８】
更に、この胴体部は、胴体部の縦軸方向の第一の変形線に沿った薄板の変形によって得られる少なくとも二つの脚部から構成されると規定される。
【００５９】
この実施構成の主要な利点は、そのようにして胴体部が曲げ力及び座屈力に対して安定することである。
【００６０】
更に、脚部の長さが異なり、長い方の第一の脚部の自由端がスプリングアームの形の保持部を構成すると規定される。
【００６１】
この場合、長い方の第一の脚部の自由端が、変形によって、少なくとも胴体部の差込方向に対して直角であるが、有利には、差込方向を向いた方向に向けられると規定される。
【００６２】
そのようにして、スプリングアームの形の保持部材を容易かつ経済的に製作できることが保証される。スプリングアームが第一の脚部に繋がっていることによって、スプリングアームは、めくら穴の直径よりも大きい長さを持つことができ、それは、スプリング特性に良い作用を及ぼし、可塑的な変形を防止する。
【００６３】
更に、短い方の第二の脚部の胴体頭部と逆側の自由端は、第一の脚部のスプリングアームのための当接面を構成すると規定される。
【００６４】
この場合、本発明による当接面は、ばね復元力を上回って、可塑的な変形を引き起こす位置変化に達することから、ばね復元力を生み出す弾力的なスプリングアームを保護するように配置される。即ち、スプリングアームのばね復元力が固定部材を照明部品側の空洞内に確実に保持し、そのようにしてプレートを照明部品に固定するのに十分であることを保証している。
【００６５】
別の実施構成は、この胴体頭部は、胴体部のスプリングアームと逆側の端部に配置された羽根部により構成され、特に、これらの羽根部は、胴体部の縦軸方向の変形線に沿った切り込みと、それにより作り出される脚部の頭部終端を胴体部の縦軸に対してほぼ直角の方向を向く位置に変形することとによって得られることを提案する。これらの羽根部は、それらの端部が構成部品に対して傾斜している場合、弾力的な絶縁体の無い使用時に、その弾力的な絶縁体の機能を果たして、構成部品に軸方向のクランプ力を加えることができる。
【００６６】
そのようにして、固定部材が、特に、その頭部が、打抜き片の変形の範囲内で容易かつ効率的に製作できることを保証している。
【００６７】
この固定部材の胴体部の安定性を一層改善するために、胴体部の縦軸方向の第二の変形線に沿った薄板の変形によって得られる第三の脚部を配備して、この第三の脚部と第二の脚部の間に第一の脚部を収容すると規定される。
【００６８】
この場合、第三の脚部の構成が第二の脚部と同じであると規定される。
【００６９】
これらの三つの脚部から構成される胴体部がほぼ三角形の横断面を有することを特徴とする実施構成が有利である。
【００７０】
本発明の更に別の利点及びより良好な理解は、以下における実施例の記述から得られる。
【００７１】
［第三グループの発明］
この課題は、請求項３０１の特徴、特に、固定手段が、胴体頭部と第一の構成部品の間に配置された、胴体頭部と第一の構成部品の接触を防止する絶縁部材を備えることと、固定手段が、胴体頭部によって、第二の構成部品に対して第一の構成部品を締め付けるクランプ部材を備えることとの特徴部の特徴を有する固定部材によって解決される。
【００７２】
本発明による固定手段の主要な利点は、先ずは、それが自動化された取り付けに適していることである。二つの構成部品（第一の構成部品はＬＥＤを備えたプレートに相当し、第二の構成部品は照明部品に相当する）は、貫通穴と空洞の位置を互いに揃えた形で配置される。固定手段の胴体部は、胴体頭部が第一の構成部品に当接するまで、貫通穴を通して空洞内に差し込まれる。胴体部の拡幅後に、固定手段は、第二の構成部品の空洞内に固定され、その結果、これらの構成部品は互いに固定された形で配置される。
【００７３】
これに必要な自動取付工具と取付方法は、容易に考案、転換することが可能である。絶縁部材の特徴部の特徴によって、固定手段がプレートの表面及びその上に有る導体路と接触して、場合によっては、それらを機械的に損傷させるか、或いは金属製の固定手段の場合に短絡させることを防止している。このクランプ部材は、第一と第二の照明部品の間に押圧力を加える役割を果たし、その結果、ＬＥＤから照明部品への良好な熱伝導が得られる。
【００７４】
特に、固定手段自体が金属から製作されるので、この絶縁手段が非導電性材料から構成されると規定される。
【００７５】
固定手段を金属から構成することは、金属製の固定手段が数年に渡っても固定する力に耐えるので、極めて有利である。ここで、それと異なり、プラスチック部品によって、それらの部品が時間の経過と共に力の作用により変形し、そのようにして、それらに作用する力を回避することが知られている。それは、特に、ＬＥＤの期待される寿命が長い場合に、固定機能が持続的に満たされないとの虞を生じさせる。
【００７６】
この絶縁部材がばね復元力を生み出す弾力的な材料から構成されて、クランプ部材としての役割を果たすと規定することができる。
【００７７】
この実施構成の主要な利点は、構成部材の数が削減されることである。何れにせよ胴体頭部と第一の構成部品の間に絶縁部材が配置されるので、固定手段の固定時に差込作用方向を向いた取付力によって、それに対応するクランプ力を加えることができ、その結果、絶縁部材のばね復元力が一方の胴体頭部と他方の第一の構成部品で支持される。それによって、第一と第二の構成部品の間に押圧力が引き起こされる。
【００７８】
これらの条件の下では、固定部材自体がクランプ部材から力を加えられるので、金属から固定部材を構成することが特に大きな意味を持つ。
【００７９】
この拡幅手段がばね復元力を生み出す弾力的な物体であると規定することができる。
【００８０】
特に有利な実施構成では、胴体部が、第二の構成部品と形状一致結合を形成することが可能な、直径が拡大する保持部、特に、繋止フックを有すると規定される。
【００８１】
特に、固定手段が絶縁手段をクランプ部材として構成することによって押圧力の増大に関与する場合、形状一致結合が有利である。それは、摩擦接合による結合とは逆に、第二の構成部品の空洞内に固定部材をより確実に設置することを高い度合いで保証する。
【００８２】
更に、この固定手段を金属から製作すると規定される。
【００８３】
この実施構成の主要な利点は、胴体羽根部が互いに相対的に動いて、拡幅を容易に実現できることである。
【００８４】
この絶縁部材は、固定手段の胴体部を通すための貫通穴を有すると規定される。
【００８５】
この貫通穴は、絶縁部材を胴体頭部の下の基礎部に対して円板状に配備して、それにも関わらず、構成部品を固定するために胴体部自体を利用できることを可能とする。
【００８６】
特に、この絶縁部材が絶縁頭部と絶縁胴体部を有し、この絶縁胴体部の自由端が第一の構成部品の貫通穴を貫通して、第二の構成部品の空洞内に挿入されるが、この絶縁頭部は、胴体頭部と第一の構成部品の間に配置されると規定される。
【００８７】
この主要な利点は、少なくとも貫通穴に挿入することによって、絶縁部材を事前に取り付け可能であることである。それに追加又は補完して、或いはそれに代わって、少なくとも第一の構成部品の貫通穴内に絶縁胴体部を挿入することは、絶縁部材又は取り付けに関して正しく配置された装置の中心を合わせる役割を果たす。
【００８８】
そして、絶縁部材が、絶縁頭部側と絶縁胴体部側にそれぞれ少なくとも一つの貫通穴を有する通路を少なくとも形成すると規定される。
【００８９】
更に、胴体羽根部が絶縁頭部側と絶縁胴体部側の貫通穴を通されると規定される。
【００９０】
一つの実施構成では、胴体部がばね復元力を生み出す弾力的な二つの胴体羽根部から構成され、それらの間に隙間空間を形成すると規定される。
【００９１】
別の実施構成は、それぞれ胴体頭部と胴体羽根部にばね復元力を生み出すように弾力的に配置された操作器具であって、特に、この操作器具が胴体部の方向にばね復元力を生み出すように弾力的に動くことが可能であり、この動きが、その動きと関連した胴体羽根部の拡幅を引き起こした場合に、胴体羽根部を胴体頭部に保持する操作器具が配備されると規定する。
【００９２】
この実施構成では、操作器具が胴体部の差込方向に第二の構成部品の空洞内に動かされる。この操作器具の動きと関連して配置された胴体羽根部は、それによって、同じく胴体部の差込方向を向く動きを受け、その動きは、更に、胴体の縦軸から外側に向かって離れて行く方向の拡幅運動成分を有する。
【００９３】
それに代わって、少なくとも一つの胴体羽根部の自由端が、別の胴体羽根部で支持された、二つの胴体羽根部を拡幅位置に押し出すスプリング部材を備えると規定される。
【００９４】
一つの改善構成は、少なくとも一つの胴体羽根部の自由端が変形されて、別の胴体羽根部で支持されるスプリング脚部の形のスプリング部材を形成すると規定する。
【００９５】
別の改善構成は、二つの胴体羽根部がそれぞれスプリング部材を備えて、スプリング部材が互いに接して支持し合うと規定する。
【００９６】
それに代わって、絶縁胴体部がばね復元力を生み出す弾力的な材料から構成されて、拡幅部材としての役割を果たすと考えることもできる。
【００９７】
絶縁胴体部が胴体羽根部の間に配置されて、それらの胴体羽根部を拡幅位置に保持すると規定される。
【００９８】
最後に、胴体頭部の下側と保持部の間の間隔が絶縁部材、第一の構成部品及び第二の構成部品から成る、胴体の軸方向に測った厚さ全体よりも小さいと規定される。
【００９９】
この設定課題の背景に対して、本発明は、請求項３０１から３１９までのいずれか一つに記載の固定手段、第一の構成部品及び第二の構成部品から成る装置であって、胴体頭部が絶縁部材に接して配置され、絶縁部材が第一の構成部品に接して配置され、第一の構成部品が第二の構成部品に接して配置された装置にも関する。
【０１００】
本発明による装置は、クランプ部材が胴体頭部で支持されて、第一と第二の構成部品の間に互いに対抗する押圧力を加えることによって、本発明による課題を解決する。
【０１０１】
第一の実施構成では、絶縁部材が固定手段によって第一の構成部品に対して締め付けられ、そのようにして引き起こされたばね復元力が第一と第二の構成部品の間に押圧力を加えると規定される。
【０１０２】
それに代わって、操作器具のばね復元力が第一の構成部品に対して胴体頭部を締め付け、そのようにして、第一と第二の構成部品の間に押圧力を加えると規定することもできる。
【０１０３】
以下において、本発明を三つの実施例の図面に基づき詳しく説明する。
【０１０４】
本発明の第三グループの第一の実施例は、図３０１〜３１０に図示されている。
【０１０５】
本発明の第三グループの第二の実施構成は、図３１１〜３２０に図示されている。
【０１０６】
本発明による固定手段の第三グループの第三の実施構成は、図３２１〜３３２に図示されている。
【０１０７】
［第四グループの発明］
この課題は、請求項４０１の特徴、特に、固定手段が、胴体頭部と第一の構成部品の間に配置された、胴体頭部と第一の構成部品の接触を防止する絶縁部材を備えることと、固定手段が、胴体頭部によって、第二の構成部品に対して第一の構成部品を締め付けるクランプ部材を備えることとの特徴部の特徴を有する固定部材によって解決される。
【０１０８】
本発明による固定手段の主要な利点は、先ずは、それが自動化された取り付けに適していることである。二つの構成部品（第一の構成部品はＬＥＤを備えたプレートに相当し、第二の構成部品は照明部品に相当する）は、貫通穴と空洞の位置を互いに揃えた形で配置される。固定手段の胴体部は、胴体頭部が第一の構成部品に当接するまで、貫通穴を通して空洞内に差し込まれる。胴体部の摩擦接合は、固定手段を第二の構成部品の空洞内に固定し、その結果、これらの構成部品は互いに固定された形で配置される。
【０１０９】
これに必要な自動取付工具と取付方法は、容易に考案、転換することが可能である。絶縁部材の特徴部の特徴によって、固定手段がプレートの表面及びその上に有る導体路と接触して、場合によっては、それらを機械的に損傷させるか、或いは金属製の固定手段の場合に短絡させることを防止している。このクランプ部材は、第一と第二の照明部品の間に押圧力を加える役割を果たし、その結果、ＬＥＤから照明部品への良好な熱伝導が得られる。
【０１１０】
特に、固定手段自体が金属から製作されるので、この絶縁手段が非導電性材料から構成されると規定される。
【０１１１】
固定手段を金属から構成することは、金属製の固定手段が数年に渡っても固定する力に耐えるので、極めて有利である。ここで、それと異なり、プラスチック部品によって、それらの部品が時間の経過と共に力の作用により変形し、そのようにして、それらに作用する力を回避することが知られている。それは、特に、ＬＥＤの期待される寿命が長い場合に、固定機能が持続的に満たされないとの虞を生じさせる。
【０１１２】
この絶縁部材がばね復元力を生み出す弾力的な材料から構成されて、クランプ部材としての役割を果たすと規定することができる。
【０１１３】
この実施構成の主要な利点は、構成部材の数が削減されることである。何れにせよ胴体頭部と第一の構成部品の間に絶縁部材が配置されるので、固定手段の固定時に差込作用方向を向いた取付力によって、それに対応するクランプ力を加えることができ、その結果、絶縁部材のばね復元力が一方の胴体頭部と他方の第一の構成部品で支持される。それによって、第一と第二の構成部品の間に押圧力が引き起こされる。
【０１１４】
これらの条件の下では、固定部材自体がクランプ部材から力を加えられるので、金属から固定部材を構成することが特に大きな意味を持つ。
【０１１５】
特に有利な実施構成では、胴体部が、第二の構成部品と形状一致結合を形成することが可能な、直径が拡大する保持部、特に、繋止フックを有すると規定される。
【０１１６】
特に、固定手段が絶縁手段の構成によって押圧力を増大させるクランプ部材として関与する場合、形状一致結合が有利である。即ち、それは、摩擦接合による結合とは逆に、第二の構成部品の空洞内に固定部材をより確実に設置することを高い度合いで保証する。
【０１１７】
この絶縁部材は、固定手段の胴体部を通すための貫通穴を有すると規定される。この貫通穴は、絶縁部材を胴体頭部の下の基礎部に対して円板状に配備して、それにも関わらず、構成部品を固定するために胴体部自体を利用できることを可能とする。
【０１１８】
一つの実施構成では、胴体部が二つの胴体羽根部から構成され、それらの間に隙間空間を形成すると規定される。
【０１１９】
更に、少なくとも一つの胴体羽根部の自由端が、別の胴体羽根部で支持された、二つの胴体羽根部を互いに間隔を開けた固定位置に保持する支持部材を備えると規定される。
【０１２０】
別の改善構成は、二つの胴体羽根部がそれぞれ支持部材を備えて、支持部材が互いに接して支持し合うと規定する。
【０１２１】
この設定課題の背景に対して、本発明は、請求項４０１から４０９までのいずれか一つに記載の固定手段、第一の構成部品及び第二の構成部品から成る装置であって、胴体頭部が絶縁部材に接して配置され、絶縁部材が第一の構成部品に接して配置され、第一の構成部品が第二の構成部品に接して配置された装置にも関する。
【０１２２】
本発明による装置は、クランプ部材が胴体頭部で支持されて、第一と第二の構成部品の間に互いに対抗する押圧力を加えることによって、本発明による課題を解決する。
【０１２３】
第一の実施構成では、絶縁部材が固定手段によって第一の構成部品に対して締め付けられ、そのようにして引き起こされたばね復元力が第一と第二の構成部品の間に押圧力を加えると規定される。
【０１２４】
以下において、本発明を実施例の図面に基づき詳しく説明する。
【０１２５】
［第五グループの発明］
この課題は、請求項５０１の特徴、特に、固定手段が、胴体頭部によって、第二の構成部品に対して第一の構成部品を締め付けるクランプ部材を備えるとの特徴部の特徴を有する固定部材によって解決される。
【０１２６】
本発明による固定手段の主要な利点は、先ずは、それが自動化された取り付けに適していることである。二つの構成部品（第一の構成部品はＬＥＤを備えたプレートに相当し、第二の構成部品は照明部品に相当する）は、貫通穴と空洞の位置を互いに揃えた形で配置される。固定手段の胴体部は、胴体頭部が第一の構成部品に当接するまで、貫通穴を通して空洞内に差し込まれる。胴体部の拡幅後に、固定手段は、第二の構成部品の空洞内に固定され、その結果、これらの構成部品は互いに固定された形で配置される。
【０１２７】
これに必要な自動取付工具と取付方法は、容易に考案、転換することが可能である。このクランプ部材は、第一と第二の照明部品の間に押圧力を加える役割を果たし、その結果、ＬＥＤから照明部品への良好な熱伝導が得られる。
【０１２８】
特に、固定手段が金属から製作されると規定される。
【０１２９】
固定手段を金属から構成することは、金属製の固定手段が数年に渡っても固定する力に耐えるので、極めて有利である。ここで、それと異なり、プラスチック部品によって、それらの部品が時間の経過と共に熱及び／又は力の作用により変形し、そのようにして、それらに作用する力を回避することが知られている。それは、特に、ＬＥＤの期待される寿命が長い場合に、固定機能が持続的に満たされないとの虞を生じさせる。
【０１３０】
この胴体部が二つの胴体羽根部から構成されると規定することができる。
【０１３１】
この胴体頭部がリング形状に構成されて、リング空間を形成すると規定することができる。
【０１３２】
特に有利な実施構成では、胴体部が、第二の構成部品と形状一致結合を形成することが可能な、直径が拡大する保持部、特に、繋止フックを有すると規定される。
【０１３３】
固定手段がクランプ部材の構成によって押圧力の増大に関与する場合、形状一致結合が有利である。それは、摩擦接合による結合とは逆に、第二の構成部品の空洞内に固定部材をより確実に設置することを高い度合いで保証する。
【０１３４】
更に、胴体頭部が、その構成部品と逆の方を向いた上側に少なくとも一つの操作器具を備え、その操作器具を用いて胴体羽根部をその拡幅位置に動かすことが可能であると規定される。
【０１３５】
一つの実施構成では、この操作器具が、スプリング部材を用いて、ばね復元力を生み出すように弾力的に胴体頭部に配置されて、このスプリング部材がクランプ部材としての役割を果たすと規定される。
【０１３６】
別の実施構成は、胴体羽根部が構成部品の方を向いた下側からリング空間を通って上側に配置された操作器具にまで延びて、操作器具と連結されており、その結果、操作器具が胴体羽根部を胴体頭部に保持すると規定する。
【０１３７】
この実施構成では、操作器具が胴体部の差込方向に第二の構成部品の空洞内に動かされる。この操作器具の動きと関連して配置された胴体羽根部は、それによって、同じく胴体部の差込方向を向く動きを受け、その動きは、更に、胴体の縦軸から外側に向かって離れて行く方向の拡幅運動成分を有する。
【０１３８】
そのため、操作器具がばね復元力を生み出して胴体部の方向に動くことが可能であり、この動きが、この動きと関連した胴体羽根部の拡幅を引き起こすと規定される。
【０１３９】
一つの改善構成は、胴体頭部が、第一の構成部品の貫通穴に嵌入する、胴体部に対して平行な方向を向く心出し機構を有すると規定する。
【０１４０】
以下において、本発明を実施例の図面に基づき詳しく説明する。この実施例は、図５０１〜５１０に図示されている。
【図面の簡単な説明】
【０１４１】
【図１】本発明による固定部材を作成するための打抜き片の平面図
【図２】この打抜き片の変形後の本発明による固定部材の斜視図
【図３】図２の図面の第一の側面図
【図４】図２の図面の第二の側面図
【図５】図２の固定部材を上から見た図
【図６】固定部材を取り付けた状態の側面図
【図７】図６の断面線Ａ−Ａに沿った断面図
【図８】図６の図面を上から見た図
【図９】図８の断面線Ｂ−Ｂに沿った断面図
【図１０】取付工具を含む照明部品、プレート及び固定部材の分解図
【図１１】取付工具の作用を図示する垂直断面図
【図１２】図１０と同様であるが、取外工具を含む分解図
【図１３】取外過程を図解した断面図
【図１４】本発明による固定部材の代替実施構成の第一の側面図
【図１５】図１４の固定部材の第二の側面図
【図１６】図１４の固定部材の断面線Ａ−Ａに沿った断面線
【図１７】図１４の固定部材を取り付けた状態を上から見た図
【図１８】図１７の断面線Ｂ−Ｂに沿った断面図
【図２０１】本発明による固定部材を作成するための打抜き片の平面図
【図２０２】この打抜き片の変形後の本発明による固定部材の斜視図
【図２０３】本発明による固定部材で使用する絶縁部材の斜視図
【図２０４】図２０３の絶縁部材を備えた図２０２の本発明による固定部材の斜視図
【図２０５】図２０４の図面の第一の側面図
【図２０６】図２０４の図面の第二の側面図
【図２０７】図２０４の固定部材を上から見た図
【図２０８】固定部材を取り付けた状態の斜視図
【図２０９】図２０８の側面図
【図２１０】図２０９の断面線Ａ−Ａに沿った断面図
【図２１１】図２０８の図面を上から見た図
【図２１２】図２１１の断面線Ｂ−Ｂに沿った断面図
【図２１３】取付工具を含む照明部品、プレート及び固定部材の分解図
【図２１４】取付工具の作用を図示する垂直断面図
【図２１５】図２１３と同様であるが、取外工具を含む分解図
【図２１６】取外過程を図解した断面図
【図３０１】本発明による保持クリップ、絶縁部材及びクランプ部材を備えた固定手段の分解図
【図３０２】保持クリップ、絶縁部材及びクランプ部材から成る固定手段の事前に取り付けた構造ユニットの斜視図
【図３０３】図３０２のユニットの第一の側面図
【図３０４】図３０２の構造ユニットの第二の側面図
【図３０５】図３０２の構造ユニットを上から見た図
【図３０６】取付位置を図示した図３０５を上から見た図
【図３０７】図３０６の断面線Ａ−Ａに沿った断面図
【図３０８】プライヤ頭部を模式的に図示した図３０１の固定手段の取付状態の斜視図
【図３０９】図３０２の固定手段の取付状態の側面図
【図３１０】図３０９の断面線Ｂ−Ｂに沿った断面図
【図３１１】本発明による保持クリップ、絶縁部材及びクランプ部材を備えた第二の固定手段の分解図
【図３１２】保持クリップ、絶縁部材及びクランプ部材から成る固定手段の構造ユニットの斜視図
【図３１３】図３１２の構造ユニットを上から見た図
【図３１４】図３１２の構造ユニットの第一の側面図
【図３１５】図３１２の構造ユニットの第二の側面図
【図３１６】図３１３の取付状態の図
【図３１７】図３１６の断面線Ａ−Ａに沿った断面線
【図３１８】プライヤ頭部を模式的に図示した図３１２の構造ユニットの取付状態の斜視図
【図３１９】図３１４の構造ユニットの取付状態の側面図
【図３２０】図３１９の断面線Ｂ−Ｂに沿った断面図
【図３２１】保持クリップ、絶縁部材、第一の構成部品及び第二の構成部品を備えた固定手段の分解図
【図３２２】図３２１の保持クリップ及び絶縁部材を備えた固定手段の事前に取り付けた構造ユニットの斜視図
【図３３３】図３２２の保持クリップ及び絶縁部材から成る構造ユニットの第一の側面図
【図３２４】図３２３の構造ユニットの第二の側面図
【図３２５】図３２１の取付位置の側面図
【図３２６】図３２３の固定手段の取付位置の断面図
【図３２７】第一と第二の構成部品を追加して図示した図３２３の断面線Ａ−Ａに沿った断面線
【図３２８】図３２７の固定手段の取付位置の断面図
【図３２９】図３２１の取り付けられた固定手段の斜視図
【図３３０】解除工具を挿入した図３２９の斜視図
【図３３１】第一と第二の構成部品を省略した図３３０の側面図
【図３３２】図３２９の取り付けられた固定手段の断面図
【図４０１】本発明による保持クリップ、絶縁部材及びクランプ部材を備えた固定手段の分解図
【図４０２】保持クリップ、絶縁部材及びクランプ部材から成る固定手段の構造ユニットの斜視図
【図４０３】図４０２の構造ユニットを上から見た図
【図４０４】図４０２の構造ユニットの第一の側面図
【図４０５】図４０２の構造ユニットの第二の側面図
【図４０６】図４０３の取付状態の図
【図４０７】図４０６の断面線Ａ−Ａに沿った断面線
【図４０８】プライヤ頭部を模式的に図示した図４０２の構造ユニットの取付状態の斜視図
【図４０９】図４０４の構造ユニットの取付状態の側面図
【図４１０】図４０９の断面線Ｂ−Ｂに沿った断面図
【図５０１】本発明による固定手段を含むＬＥＤライトストリップの分解図
【図５０２ａ】図５０１の固定手段の第一の側面図
【図５０２ｂ】互いに固定された構成部品を図示していない図５０２ａの固定手段の取付位置の側面図
【図５０２ｃ】互いに固定された構成部品を図示した図５０２ｂの固定手段の側面図
【図５０３】図５０１の固定手段の第二の側面図
【図５０４】二つの構成部品を連結しようとする図５０２の固定手段の斜視図
【図５０５】図５０２の固定手段により連結された二つの構成部品の斜視図
【図５０６】構成部品を締め付ける前の図５０５の連結状態の断面図
【図５０７】構成部品を締め付けた図５０６の断面図
【図５０８】解除工具を挿入した図５０５の斜視図
【図５０９】図５０８の二つの構成部品を連結した固定手段の解除位置の断面図
【図５１０】本発明による固定手段を製作するための打抜き片の展開図
【発明を実施するための形態】
【０１４２】
［第一グループの発明］
本発明による固定部材は、全体として符号１０を付与され、第一の実施構成を図１〜１２に図示している。
【０１４３】
この固定部材１０は、先ずは胴体部１１と、胴体部１１の一端に配置された胴体頭部１２と、胴体部１１の胴体頭部１２と反対側の自由端で支持されたスプリングアーム１３とを有する。
【０１４４】
この胴体部１１は、互いに一体的に材料結合により結合された三つの脚部から構成され、第一の脚部に符号１４を付与し、第二の脚部に符号１５を付与し、第三の脚部に符号１６を付与している。この胴体頭部１２は、三つの羽根部から構成され、第一の羽根部に符号１７を付与し、第二の羽根部に符号１８を付与し、第三の羽根部に符号１９を付与している。第一の羽根部１７は第一の脚部１４の一部であり、第二の羽根部１８は第二の脚部１５の一部であり、第三の羽根部１９は第三の脚部１６の一部である。この場合、羽根部１７，１８，１９は、胴体部の縦軸Ｌに対してほぼ直角の方向に向けられ、ここに図示された実施例では、ほぼ同じ円周角でずらして配置されている。具体的には、これらの羽根部１７，１８，１９は、胴体部の縦軸Ｌから、第一の構成部品２４の表面の方向に向かって傾斜して形成されるとともに、ばね復元力を生み出すように弾力的に構成されている。これらは、第一の構成部品２４に接して置かれるように配備される。
【０１４５】
本発明による固定部材１０は、金属製薄板の打抜き片２２から作成される。それが図１に図示されている。胴体部の縦軸方向に延びる変形線Ｕ１とＵ２に沿った変形によって、これら三つの脚部１４，１５，１６が作成される。第二の脚部１５と第三の脚部１６は、それらの間に第一の脚部１４を収容する。この場合、第二の脚部１５と第三の脚部１６のスプリングアーム１３の側の端部が、第一の脚部１４と比べて短く形成されている。この場合、第二の脚部１５と第三の脚部１６を得るための変形は同じ方向に行なわれ、二つの脚部の胴体部の縦軸方向を向いた自由な外側輪郭が互いの方向に向けられている。
【０１４６】
胴体頭部１２又はその三つの羽根部１７，１８，１９は、打抜き片が二つの切り込みＳ１とＳ２を有することによって得られる。これらの切り込みは、打抜き片２２のスプリングアーム１３と逆側の端部に変形線Ｕ１とＵ２に沿って設けられる。この場合、切り込みＳ１とＳ２の深さは、羽根部の長さを上回る。それに続き、羽根部１７，１８，１９は、胴体部の縦軸Ｌに対してほぼ直角の方向を向いて、縦軸から遠ざかるまで、変形線Ｕ４に沿って変形される。この変形線Ｕ４は、胴体部の縦軸Ｌに対してほぼ直角の方向を向く。
【０１４７】
このスプリングアーム１３は、第一の脚部１４の脚部１５及び１６と比べて延長された区画が固定部材１０の差込方向Ｘと逆向きの方向を向くまで、この区画を変形線Ｕ３に沿って折り返すことによって得られる。この場合、スプリングアーム１３は、第二と第三の脚部１５，１６の縦方向の自由端の方向に向けられる。短い方の脚部１５及び１６の下方の短辺側２３は、固定部材１０を照明部品２５の空洞に差し込んだ時にスプリングアーム１３のばね復元力を生み出す弾力的な回避運動の終点を形成し、そのようにしてスプリングアーム１３の可塑的な変形から防止する、スプリングアーム１３のための当接面を構成する。
【０１４８】
ここで、図６〜９に基づき、本発明による固定部材１０の動作形態を詳しく説明する。図６と８は、固定部材１０の取付状態の断面図と上から見た図を図示している。この固定部材１０は、前記の図面において、回路基板２４を照明部品２４上に保持している。特に、図８と９から明らかな通り、回路基板２４は、（ここではめくら穴として構成された）照明部品側の空洞２７の位置が揃うように配置された貫通穴２６を有する。この場合、回路基板２４は照明部品２５の上側に接して置かれる。この固定部材１０は、スプリングアーム１３を先頭にして差込方向Ｘに、先ずは貫通穴２６を通されて、めくら穴の形の空洞２７に挿入される。この場合、スプリングアーム１３は、空洞２７の壁面２８に当たり、それによって、ばね復元力を生み出すように弾力的に胴体部の第一の脚部１４の方向に曲がる。この場合、この曲がりと逆向きのばね力が発生して、スプリングアーム１３を壁面２８に押し付け、そのようにして固定部材１０と空洞２７の間の摩擦接合による結合を作り出す。この摩擦接合は、差込方向Ｘと逆向きの動きに対して固定部材１０を保持する。空洞２７に内周面の溝又は刻み込んだネジ山を設けた繋止結合が考えられる。
【０１４９】
貫通穴２６及び空洞２７よりも直径が大きい胴体頭部１２は回路基板の上側に接して置かれる。そのようにして、胴体頭部は、回路基板２４を照明部品２５上に固く保持する。
【０１５０】
この場合、胴体頭部１２はクランプ部材である。詳しくは、その羽根部１７，１８，１９が、それぞれクランプ脚部を構成する。これらは、固定部材１０を空洞２７に差し込んだ時に、回路基板２４に対して押し付けられる。それにより、羽根部１７，１８，１９が、回路基板２４に対して傾斜した静止位置から、差込方向Ｘと逆向きにばね復元力を生み出すように弾力的に曲がる。これらは、差込方向Ｘと逆向きの力を回路基板２４に加えて、照明部品２５に対して規定された通り、回路基板を締め付ける（スプリング式脚部１３は支承部としての役割を果たす）。これは、回路基板２４と照明部品２５の間の所定の押圧力によって、回路基板２４から、そのため、ここでは図示されていないＬＥＤから、冷却体としての役割を果たす照明部品２５への相応の熱の排出のために行なわれる所定の熱伝導が達成できるとの点において有利である。
【０１５１】
図６の断面線Ａ−Ａに沿った断面図を図示した図７によると、第二と第三の脚部１５，１６の胴体部の縦軸に対して平行な自由端が互いに接するような大きさにまで羽根部の深さを延ばした場合、胴体部の脚部１４，１５，１６が、その互いの配置構成によって、胴体部にほぼ三角形の横断面輪郭を与えることが分かる。それに代わって、この場合、図７による図面において、第二と第三の脚部１５，１６の胴体部の縦軸に対して平行な自由端を直線により互いに接続した場合、ほぼ台形の横断面輪郭と呼ぶこともできる。
【０１５２】
図１０〜１３に基づき、取付工具２９を用いた取付過程と固定部材１０の取外工具３０を用いた取外過程を説明する。
【０１５３】
図１０と１２は、取付状態の分解図と固定部材１０の取外状態を図示している。図１１と１３は、ほぼ図９の断面図に対応するが、更に、取付工具２９又は取外工具３０を図示している。
【０１５４】
図１０と１１の取付工具２９は、プレート側の作用面３１が胴体頭部１２を収容するための窪みを有するプランジャーとして構成されている。この作用面３１は、胴体頭部側の心出し開口部３３に嵌まり込む、胴体部の縦軸に対して平行な心出しピン３２を突き出している（図５、８、１１を参照）。この作用面３１は、胴体頭部を取付工具２９に保持するために磁化することができる。同様に、心出しピン３２を心出し開口部３３内に摩擦接合により保持し、そのようにして、固定部材１０を取付工具２９に保持することが考えられる。
【０１５５】
ここで、固定部材１０を取り付けるために、固定部材１０を取付工具２９の作用面３１に付着させて、胴体部１１を先頭にして、回路基板２４の貫通穴２６を通して、照明部品２５の空洞２７に嵌入する。回路基板２４の表面に対して傾斜した、胴体部１１の羽根部１７，１８，１９が、回路基板の上側に当たって、ばね復元力を増大させて曲がる。スプリングアームが、差込運動の終了後に、羽根部１７，１８，１９のばね復元力に対抗して固定部材１０を空洞２７内に保持する。このばね復元力は、そのようにして、構成部品２４と２５を互いに締め付ける。
【０１５６】
一つの実施構成は、胴体部の羽根部１７，１８，１９だけが、差込方向Ｘと逆向きに、ほぼ回路基板２４の上側に対して平行な天秤皿の位置にまで曲がるまで、ばね復元力を増大させると規定する。しかし、図示された実施例の通り、切り込みＳ１とＳ２は、羽根部１７，１８，１９の長さよりも深い場合、脚部１４，１５，１６の胴体頭部に近い区画を互いに分離する。これらの脚部区画は、同様にばね復元力を生み出すように弾力的に、詳しくは、胴体部の縦軸Ｌの方向に曲がることが可能である。固定部材１０を空洞２７に差し込んだ場合、各羽根部１７，１８，１９の脚部区画とそれらに作用する差込力が胴体部の縦軸Ｌの方向にずれる。その場合に発生する、これらの脚部区画のばね復元力は、羽根部１７，１８，１９を介して構成部品２４と２５を締め付けるように作用する。各羽根部１７，１８，１９は、それらに対応する脚部区画と共に、それぞれクランプ脚部を構成する。
【０１５７】
この場合、これらの脚部区画だけがばね復元力を発生して、羽根部１７，１８，１９のばね力を不要とすることさえ可能である。
【０１５８】
取付工具２９の引き出し後に、取付過程が終了する。
【０１５９】
固定部材１０を取り外すための工具も配備される。それは、符号３０を付与され、固定部材１０を取り外すために、心出し開口部３３を通して空洞２７内に圧入されるリリースピン３５を有する。この場合、このリリースピン３５は、スプリングアーム１３に当たって、それを差込方向Ｘに可塑的に変形させて、その繋止位置から押し出す。それによって、スプリングアーム１３と空洞２７の壁面２８の間の摩擦接合が解除されて、固定部材１０を空洞２７から引き出すことができる。それは、有利には、同じく取外工具３０を用いて、心出し開口部３３を通して胴体部の内部空間にリリースピン３５を差し込むことで、胴体部の脚部１４，１５，１６とリリースピン３５の外側表面の間に摩擦接合を起こすことによって行なわれる。そのようにして、リリースピン３５を空洞２７から取り出す際に、固定部材１０はリリースピンに追随する。
【０１６０】
第一の脚部１４の案内構造３６にも注目すべきである（図１３）。それは、リリリースピン３５をスプリングアーム１３の自由端の方に押し出し、その結果、リリリースピン３５は、スプリングアームを差込方向Ｘに変形させる。この案内構造３６は、リリリースピン３５がスプリングアーム１３上でその変形領域の方向に滑り、それにより、スプリングアーム１３を解除できるように変形する代わりに、より深く胴体部１１を空洞２７内に押し付ける虞が生じることを防止している。
【０１６１】
図１４〜１８には、本発明の第二の実施構成が図示されている。そこの固定部材１０は、第一の実施構成の固定部材１０とほとんど同じであり、そのため、同じ構成要素には同じ符号を使用して、前の記述を参照する。以下では、主として二つの実施構成の間の相違点を取り上げる。
【０１６２】
第二の実施構成の固定部材１０は、同じく打抜き片から作成され、胴体頭部１２を有する胴体部１１を備え、胴体部１１と胴体頭部１２は、第一の実施構成と同様に構成される。特に、胴体部１１は、胴体部の三つの脚部１４、１５及び１６から成り、胴体頭部１２は、三つの羽根部１７，１８及び１９から構成される。この実施構成でも胴体頭部１２は、その羽根部１７，１８及び１９と共に、場合によっては、切り込みＳ１とＳ２により互いに分離された胴体の脚部区画を用いて、クランプ部材としての役割を果たす。特に、図１６から分かる通り、この胴体部１１も、ほぼ三角形又は台形の形状に形成され、それによって、その安定性が著しく改善されている。
【０１６３】
二つの実施構成の間の主な相違点は、第二の実施例の保持部に有る。第一の実施例は、特に、照明部品２５のめくら穴に固定するために規定され、そのため、主としてめくら穴内において摩擦接合により結合する役割を果たすスプリングアーム１３だけを有する。
【０１６４】
それに対して、図１４〜１８の固定部材１０は、ロック固定するために規定されている。そのために、胴体の脚部１４，１５及び１６の中の少なくとも一つがロック部分３７、３８を有する。この実施例では、胴体の脚部１５と１６が、それぞれロック部分３７を有し、胴体の脚部１４は、ロックスプリング３８を有する。これらのロック部分３７，３８は、胴体の脚部１４，１５及び１６に対して周囲に広がる形に構成され、胴体の縦軸Ｌの方向に貫通穴２６内に差し込まれた場合、その静止位置からばね復元力を生み出すように弾力的に曲がる。ロック部分３７，３８が照明部品２５の空洞２７の領域内に挿入された場合にも同じことが起こる。
【０１６５】
第二の実施例では、照明部品２５の空洞２７も貫通穴として構成され、その結果、胴体部１１の胴体頭部１２と逆側の終端区画が回路基板の貫通穴２６だけでなく、照明部品２５の空洞も貫通することができる。この差込方向Ｘへの差込過程では、胴体頭部を構成する羽根部１７，１８，１９及び／又は切り込みＳ１とＳ２によって互いに分離された胴体の脚部区画が、ばね復元力を生み出す弾力的な曲がりを受け、そのようにして、回路基板２４と照明部品２５の間の所定の押圧力を引き起こすクランプ力を増大させる。この差込方向への差込過程は、ロックアーム３７とロックスプリング３８が空洞２７を貫通して、それらの静止位置に動いて戻るまで行なわれる。その位置では、これらが、照明部品２５の下側を後ろ、又は下から支え、そのようにして、構成部品２４と２５を互いに固定する。それは、特に、図１８から見て取れる。
【０１６６】
第二の実施例が固定部材１０を空洞２７内に固定する代替形態だけを示し、胴体頭部１２の羽根部１７，１８，１９及び／又は互いに分離された胴体の脚部区画によるクランプ部材の機能及び構成が第一の実施例と同様に構成されていることが分かる。
【０１６７】
ロックアーム３７の傾斜部３９は、羽根部１７，１８，１９が引き起こすクランプ機能に大きな影響を与えること無く、構成部品２４と２５の厚さ全体において或る程度の許容範囲を平準化する役割を果たすことができる。特に、一般的に複数の固定部材１０を使用する場合に、個々のクランプ力の均一性が平坦な押圧力のための重要な指標となる。
【０１６８】
［第二グループの発明］
本発明による固定部材は、全体として（この場合、絶縁体２２０を除いて）符号２１０を付与されている。
【０１６９】
この固定部材２１０は、先ずは胴体部２１１と、胴体部２１１の一端に配置された胴体頭部２１２と、胴体部２１１の胴体頭部２１２と反対側の自由端で支持されたスプリングアーム２１３とを有する。
【０１７０】
この胴体部２１１は、互いに一体的に材料結合により結合された三つの脚部から構成され、第一の脚部に符号２１４を付与し、第二の脚部に符号２１５を付与し、第三の脚部に符号２１６を付与している。この胴体頭部２１２は、三つの羽根部から構成され、第一の羽根部に符号２１７を付与し、第二の羽根部に符号２１８を付与し、第三の羽根部に符号２１９を付与している。第一の羽根部２１７は第一の脚部２１４の一部であり、第二の羽根部２１８は第二の脚部２１５の一部であり、第三の羽根部２１９は第三の脚部２１６の一部である。この場合、羽根部２１７，２１８，２１９は、胴体部の縦軸Ｌに対してほぼ直角の方向に向けられ、ここに図示された実施例では、ほぼ同じ円周角でずらして配置されている。
【０１７１】
更に、図面に図示された固定部材２１０の一部は、中央の穴２２１を有する円板として構成された絶縁体２２０である。胴体部２１１は、この穴２２１を貫通するように通され、その結果、胴体頭部２１２の羽根部２１７，２１８及び２１９が絶縁体２２０の上側に接して置かれ、それに対して、胴体部２１１は、絶縁体２２０の下側に延びる。
【０１７２】
本発明による固定部材２１０は、金属製薄板の打抜き片２２２から作成される。それが図２０１に図示されている。胴体部の縦軸方向に延びる変形線Ｕ１とＵ２に沿った変形によって、これら三つの脚部２１４，２１５，２１６が作成される。第二の脚部２１５と第三の脚部２１６は、それらの間に第一の脚部２１４を収容する。この場合、第二の脚部２１５と第三の脚部２１６のスプリングアーム２１３の側の端部が、第一の脚部２１４と比べて短く形成されている。この場合、第二の脚部２１５と第三の脚部２１６を得るための変形は同じ方向に行なわれ、二つの脚部の胴体部の縦軸方向を向いた自由な外側輪郭が互いの方向に向けられている。
【０１７３】
胴体頭部２１２又はその三つの羽根部２１７，２１８，２１９は、打抜き片が二つの切り込みＳ１とＳ２を有することによって得られる。これらの切り込みは、打抜き片２２２のスプリングアーム２１３と逆側の端部に、羽根部の長さを規定する深さにまで変形線Ｕ１とＵ２に沿って設けられる。それに続き、羽根部２１７，２１８，２１９は、胴体部の縦軸Ｌに対してほぼ直角の方向を向いて、縦軸から遠ざかるまで、変形線Ｕ４に沿って変形される。この変形線Ｕ４は、胴体部の縦軸Ｌに対してほぼ直角の方向を向く。
【０１７４】
このスプリングアーム２１３は、第一の脚部２１４の脚部２１５及び２１６と比べて延長された区画が固定部材２１０の差込方向Ｘと逆向きの方向を向くまで、この区画を変形線Ｕ３に沿って折り返すことによって得られる。この場合、スプリングアーム２１３は、第二と第三の脚部２１５，２１６の縦方向の自由端の方向に向けられる。短い方の脚部２１５及び２１６の下方の短辺側２２３は、固定部材２１０を照明部品２２５の空洞に差し込んだ時にスプリングアーム２１３のばね復元力を生み出す弾力的な回避運動の終点を形成し、そのようにしてスプリングアーム２１３の可塑的な変形から防止する、スプリングアーム２１３のための当接面を構成する。
【０１７５】
ここで、図２０８〜２１２に基づき、本発明による固定部材２１０の動作形態を詳しく説明する。図２０８、２０９及び２１１は、固定部材２１０の取付状態の斜視図、断面図及び上から見た図を図示している。この固定部材２１０は、前記の図面において、回路基板２２４を照明部品２２４上に保持している。特に、図２１２から明らかな通り、回路基板２２４は、（ここではめくら穴として構成された）照明部品側の空洞２２７の位置が揃うように配置された貫通穴２２６を有する。この場合、回路基板２２４は照明部品２２５の上側に接して置かれる。この固定部材２１０は、スプリングアーム２１３を先頭にして差込方向Ｘに、先ずは貫通穴２２６を通されて、めくら穴の形の空洞２２７に挿入される。この場合、スプリングアーム２１３は、空洞２２７の壁面２２８に当たり、それによって、ばね復元力を生み出すように弾力的に胴体部の第一の脚部２１４の方向に曲がる。この場合、この曲がりと逆向きのばね力が発生して、スプリングアーム２１３を壁面２２８に押し付け、そのようにして固定部材２１０と空洞２２７の間の摩擦接合による結合を作り出す。この摩擦接合は、差込方向Ｘと逆向きの動きに対して固定部材２１０を保持する。空洞２２７に内周面の溝又は刻み込んだネジ山を設けた繋止結合が考えられる。
【０１７６】
貫通穴２２６及び空洞２２７よりも直径が大きい胴体頭部２１２は回路基板の上側に（図示された実施例では、絶縁体２２０を間に挟んで）接して置かれる。そのようにして、胴体頭部は、回路基板２２４を照明部品２２５上に固く保持する。
【０１７７】
図示された実施例の通り、絶縁部材２２０は、ばね復元力を生み出す弾力的な物体、例えば、エラストマーとすることができる。これは、固定部材２１０を空洞２２７に差し込んだ時に、胴体羽根部２１７〜２１９により回路基板２２４に対して押し付けられて、それに対応する力の印加によりばね復元力を生み出すように弾力的に変形する。そのため、これは、差込方向Ｘと逆向きの力を回路基板２２４に加えて、照明部品２２５に対して規定された通り、回路基板を締め付けるクランプ部材としての役割を果たす。これは、回路基板２２４と照明部品２２５の間の所定の押圧力によって、回路基板２２４から、そのため、ここでは図示されていないＬＥＤから、冷却体としての役割を果たす照明部品２２５への相応の熱の排出のために行なわれる所定の熱伝導が達成できるとの点において有利である。
【０１７８】
図２０９の断面線Ａ−Ａに沿った断面図を図示した図２１０によると、第二と第三の脚部２１５，２１６の胴体部の縦軸に対して平行な自由端が互いに接するような大きさにまで羽根部の深さを延ばした場合、胴体部の脚部２１４，２１５，２１６が、その互いの配置構成によって、胴体部にほぼ三角形の横断面輪郭を与えることが分かる。それに代わって、この場合、図２１０による図面において、第二と第三の脚部２１５，２１６の胴体部の縦軸に対して平行な自由端を直線により互いに接続した場合、ほぼ台形の横断面輪郭と呼ぶこともできる。
【０１７９】
図２１３〜２１６に基づき、取付工具２２９を用いた取付過程と固定部材２１０の取外工具２３０を用いた取外過程を説明する。
【０１８０】
図２１３と２１５は、図２０８、２０９及び２１１による取付状態の分解図と固定部材２１０の取外状態を図示している。図２１４と２１６は、ほぼ図２１２の断面図に対応するが、更に、取付工具２２９又は取外工具２３０を図示している。
【０１８１】
図２１３と２１４の取付工具２２９は、プレート側の作用面が胴体頭部２１２を収容するための窪み２３１を有するプランジャー又はキャビティとして構成されている。この窪み２３１は、胴体頭部側の心出し開口部２３３に嵌まり込む、胴体部の縦軸に対して平行な心出しピン２３２を突き出している（図２１１を参照）。この窪み２３１の底面は、胴体頭部を取付工具２２９に保持するために磁化することができる。同様に、心出しピン２３２を心出し開口部２３３内に摩擦接合により保持し、そのようにして、固定部材２１０を取付工具２２９に保持することが考えられる。
【０１８２】
ここで、固定部材２１０を取り付けるために、固定部材２１０を取付工具２２９の窪み２３１に差し込んで、胴体部２１１を先頭にして、回路基板２２４の貫通穴２２６を通して、照明部品２２５の空洞２２７に嵌入する。この嵌入の深さは、場合によっては、窪み２３１の周りを取り囲むカラー部２３４によって制限される。この胴体部の縦軸に対して平行な延びは、胴体部の縦軸方向に測定した胴体羽根部２１７〜２１９及びその下に配置された絶縁部材２２０の厚さよりも短くすることができる。そのようにして、カラー部２３４が回路基板２２４に当たるまで取付工具２２９を動かした場合に、絶縁部材２２０が所定の変形を行なうことを保証している。そのようにして、簡単な機械的な力の制限によって、回路基板２２４と照明部品２２５の間の所定の押圧力を実現することができる。
【０１８３】
取付工具２２９の引き出し後に、取付過程が終了する。
【０１８４】
固定部材２１０を取り外すための工具も配備される。それは、符号２３０を付与され、固定部材２１０を取り外すために、心出し開口部２３３を通して空洞２２７内に圧入されるリリースピン２３５を有する。この場合、このリリースピン２３５は、スプリングアーム２１３に当たって、それを差込方向Ｘに可塑的に変形させて、その繋止位置から押し出す。それによって、スプリングアーム２１３と空洞２２７の壁面２２８の間の摩擦接合が解除されて、固定部材２１０を空洞２２７から引き出すことができる。それは、有利には、同じく取外工具２３０を用いて、心出し開口部２３３を通して胴体部の内部空間にリリースピン２３５を差し込むことで、胴体部の脚部２１４，２１５，２１６とリリースピン２３５の外側表面の間に摩擦接合を起こすことによって行なわれる。そのようにして、リリースピン２３５を空洞２２７から取り出す際に、固定部材２１０はリリースピンに追随する。
【０１８５】
第一の脚部２１４の案内構造２３６にも注目すべきである（図２１４と２１６）。それは、リリリースピン２３５をスプリングアーム２１３の自由端の方に押し出し、その結果、リリリースピン２３５は、スプリングアームを差込方向Ｘに変形させる。この案内構造２３６は、リリリースピン２３５がスプリングアーム２１３上でその変形領域の方向に滑り、それにより、スプリングアーム２１３を解除できるように変形する代わりに、より深く胴体部２１１を空洞２２７内に押し付ける虞が生じることを防止している。
【０１８６】
［第三グループの発明］
ここで、以下の本発明の第三グループの前記の三つの実施例の記述においては、読み易さと分かり易さを保証するために、意識的に同じ符号を付与することを断念している。その結果、本発明の異なる実施構成の同じ又は同様の構成要素には、異なる符号が付与されている。
【０１８７】
以下において、図３０１〜３４０に基づき第一の実施例を詳しく説明する。
【０１８８】
本発明による第一の実施例の固定手段は、図３０１〜３１０において、その全体に符号３１０を付与されている。この固定手段は、先ずは、二つの胴体羽根部３１３から構成された拡幅可能な胴体部３１２を備えた保持クリップ３１１を有する。これらの胴体羽根部３１３は、自由端３１４を有し、連結された端部３１５により、それぞれ胴体頭部３１６に固定されている。
【０１８９】
これらの胴体羽根部３１３は、互いに間隔を開けて、それらの間に隙間空間３１７を有する。これらの自由端３１４は、ほぼ円錐形に延びており、そのようにして、固定手段３１０を取り付けるために先頭にする差込尖端３１８を形成している。各胴体羽根部３１３は、胴体頭部３１６の方向に対して、これらの差込尖端３１８の後に配置された保持部３１９を形成しており、それは、ここでは、外側方向を向いた、即ち、隙間空間から離れる方向を向く、胴体羽根部３１３の造形により作り出された繋止フック３２０である。胴体頭部３１６の方向に対して、更にその後に配置された胴体首部３２１は、同じく外側方向を向く解除突起３２３を造形された胴体解除区画３２２に移行している。
【０１９０】
この胴体頭部３１６は、ほぼ円板形状に構成され、胴体羽根部３１３に対してほぼ直角の方向を向く平面に広がっている。この胴体頭部３１６の仮想的な内径ｒは、固定手段３１０の胴体部３１２を差し込む第一の構成部品３３３の貫通穴３３８及び第二の構成部品３３４の空洞の半径にほぼ等しい。その結果、胴体羽根部３１３は、ほぼその半径の所に有る。
【０１９１】
胴体羽根部３１３を胴体頭部３１６と連結する領域に、胴体頭部３１６は、そのために、把持切欠き３２４として図示されたオフセットを有する。これらの領域では、胴体頭部が外径Ｒから内径ｒにまで括れている。
【０１９２】
更に、固定手段３１０の一部は、絶縁部材３３０である。それは、ここで述べる第一の実施例では、ほぼＴ字形状に構成され、絶縁頭部３３１とそれに対して直角に配置された絶縁胴体部３３２を有する。
【０１９３】
特に、図３０２から明らかな通り、この絶縁部材３３０は、その絶縁頭部３３１を先頭にして下から胴体羽根部３１３の間の隙間空間３１７に差し込むように配備され、その結果、絶縁頭部３３１は、胴体頭部３１６の下に配置される。この絶縁胴体部３３２は、胴体羽根部３１３の間に嵌め込まれる。これらの取付状態が図３０２に図示されている。
【０１９４】
図３０３と３０４から分かる通り、胴体頭部３１６の下側は、絶縁頭部３３１の上側に接して配置され、それに対して、絶縁頭部３３１の下側は、第一の構成部品３３３に接して配置されるように配備される。図３０３は、更に、胴体羽根部３１３の間に嵌め込まれた絶縁胴体部３３２が胴体羽根部を拡幅位置に保持していることを図示している。この拡幅位置では、繋止フック３２０が内径ｒを超えて周囲に拡大して突き出ている。
【０１９５】
最後に、保持クリップ３１１が、有利には、金属薄板から打抜き曲げプロセスにより製作されることも指摘しておきたい。この絶縁部材３３０は、非導電性材料から構成され、少なくとも絶縁胴体部３３２は、ばね復元力を生み出す弾力的な材料から構成される。一つの有利な実施形態は、絶縁部材３３０をシリコンから製作すると規定する。しかし、それ以外のばね復元力を生み出す弾力的なプラスチックも適している。
【０１９６】
図３０７は、取付状態における固定手段３１０の図３０６の断面線Ａ−Ａに沿った断面図を図示している。先ずは、第二の構成部品３３４に接して配置された第一の構成部品３３３が見える。第一の構成部品３３３が通常回路基板３３５である場合、第二の構成部品３３４は通常照明部品３３６である。この回路基板３３５は、回路基板３３５上に配置された図示されていないＬＥＤに電気又は信号を供給する役割を果たす導体路３３７を配備される。
【０１９７】
この回路基板３３５は貫通穴３３８を備え、照明部品３３６は空洞３３９を有する。この第一の構成部品の貫通穴３３８が必ず材料の厚さ全体を通る貫通穴として構成されなければならないことを補足しておきたい。第二の構成部品の空洞３３９は、ここで図示された実施例では、同じく厚さ全体を通って材料を貫通する穴として構成されている。しかし、第二の構成部品の空洞３３９は、正にめくら穴の形として構成することもできる。貫通穴３３８と３３９の位置を互いに揃える。
【０１９８】
第一の構成部品３３３と第二の構成部品３３４を互いに連結するために、図３０７に図示されている通り、これら二つの構成部品は、貫通穴３３８と空洞３３９の位置を揃えた形で互いに重ねて配置される。次に、図３０２の通り、本発明による固定手段３１０に事前に取り付けた、保持クリップ３１１と絶縁部材３３０から成るユニットが、差込方向Ｘに貫通穴３３８を通して空洞３３９内に嵌め込まれる。この場合、固定手段３１０は、絶縁胴体部３３２の自由端と胴体羽根部３１３の差込尖端３１８を先頭にして貫通穴３３８と空洞３３９に挿入される。最後に、絶縁頭部３３１が回路基板３３５の導体路３３７を備えた表面に接して配置されることとなる。
【０１９９】
貫通穴３３８の直径は、少なくとも内径ｒに等しく、胴体頭部３１６の外径Ｒよりも小さい。空洞３３９は、繋止フック３２０の確実なロックを保証するために、ほぼ内径ｒに一致する。
【０２００】
固定手段３１０をＸ方向に挿入した場合、直径が内径ｒを超えて拡大されて突き出た繋止フック３２０が、貫通穴３３８と空洞３３９の縁をスライドし、その結果、繋止羽根部３１３が隙間空間を狭くするように互いに押し狭められる。それによって、ばね復元力を生み出すように弾力的に構成された絶縁胴体部３３２が圧縮されて、胴体羽根部３１３の隙間空間を狭くする動きに対抗してばね復元力を増大させる。
【０２０１】
絶縁頭部３３１が回路基板３３５の表面に接して配置されても、二つの構成部品３３３，３３４を互いに繋止するのに必要なＸ方向の差込運動は未だ完了していない。繋止フック３２０は、少なくとも第二の構成部品３３４の空洞３３９を未だ最終的に貫通していない。そのために、Ｘ方向への差込運動の続行が必要であり、絶縁頭部を圧縮する差込圧力を胴体頭部３１６に加える。それによって、ばね復元力を生み出すように弾力的に構成された絶縁頭部３３１によって、差込圧力に対抗するばね復元力が増大する。ここで、繋止フック３２０は、空洞３３９を貫通して、絶縁胴体部３３２のばね復元力が絶縁羽根部３１３をその拡幅位置に動かして戻すことによって、空洞の下側を後方からロックする。それに対して、差込圧力に対抗して作用する絶縁頭部３３１のばね復元力は維持されたままであり、構成部品３３３及び３３４を互いに締め付け、その際、一方の繋止フック３２０と他方の胴体頭部３１６は、絶縁頭部３３１のばね復元力に対抗して作用する支承部としての役割を果たす。このようにして、第一と第二の構成部品３３３，３３４の互いに接して配置された面の間に精確に規定可能な押圧力又は精確に規定可能な押付力を発生させている。この点に関して、この第一の実施例で絶縁頭部３３１がクランプ部材３４０としての役割も果たすことが前記の機能の記述から明らかである。
【０２０２】
この固定手段が、特に、ＬＥＤを装備されたプレートを熱を排出する照明部品３３６に固定するために配備されているので、第一と第二の構成部品３３３，３３４の間の所定の押圧力の発生は、本発明による固定手段３１０の機能に関して極めて重要である。ＬＥＤの寿命に大きな影響を与える、そのため、回路基板３３５から照明部品３３６への所要の熱の排出は、第一の構成部品３３３と第二の構成部品３３４の間の正しい当接圧力によって極めて大きな影響を受ける。
【０２０３】
しかし、構成部品３３３と３３４を互いに分離するために、固定手段３１０を再び取り外すことができるとも規定される。この目的のために、保持クリップ３１１は、上から見た図３０５で良好に認識できる、前に別途簡単に述べた、プライヤのための空間を提供する把持切欠き３２４を有する。図３０８には、構成部品３３３と３３４を互いに連結して取り付けられた固定手段３１０の斜視図が図示されている。この把持切欠き３２４の領域にプライヤ顎部３４２を置いたプライヤ頭部３４１が模式的に図示されている。図３１０は、構成部品３３３と３３４を互いに固定する固定手段３１０の図３０９の断面線Ｂ−Ｂに沿った断面図を図示している。図３１０は、更に、図３０９において見易くするために省略されたプライヤ顎部３４２を図示している。
【０２０４】
図３１０では、繋止フック３２０が第二の構成部品３３４の下側を下方から捕捉し、そのようにして、絶縁頭部３３１と繋止フック３２０の間で二つの構成部品３３３，３３４を互いに連結して配置していることが明らかに見える。プライヤ顎部３４２の互いに向かい合った作用面が、把持切欠き３２４を通してアクセスできる解除突起３２３に載っている。このプライヤを締めることは、プライヤ顎部３４２を互いに近付けて動かすこととなる。その結果、胴体羽根部３１３を絶縁胴体部３３２の方向に動かす力が解除突起３２３に加わる。即ち、拡幅方向と逆向きの動きが引き起こされる。それによって、絶縁胴体部３３２がばね復元力を生み出すように弾力的に変形して、胴体羽根部３１３の移動方向に対抗して作用するばね復元力を再び増大させる。胴体羽根部３１３を互いに十分に動かした後、直ちにプライヤを用いて、差込方向Ｘと逆向きに固定手段３１０を空洞３３９と貫通穴３３８から引き出すことができ、その結果、第一の構成部品３３３と第二の構成部品３３４は互いに分離することが可能となる。
【０２０５】
極めて有利な実施構成では、保持クリップ３１１が金属から構成されることにも言及したい。有利には、胴体羽根部３１３自体が、同じくばね復元力を生み出すように弾力的に胴体頭部３１６と連結される。有利には、絶縁部材３３０は、その絶縁頭部３３１及び絶縁胴体部３３２と共にばね復元力を生み出す弾力的なシリコンから構成される。保持クリップ３１１用の材料として金属を選択することは、それが絶縁頭部３３１／クランプ部材３４０により加えられるばね復元力に耐えるのに対して、プラスチックの場合、通常それが時間と共にクランプ部材のばね復元力を弱める虞が生じるとの主要な利点を有する。そのことは、第一と第二の構成部品３３３，３３４の間の連結を解除させる可能性が有るが、如何なる場合でも、二つの構成部品３３３と３３４の間の押圧力が低下して、それが熱伝導を低下させるとの結果を生み出す。
【０２０６】
ここで、図３１１〜３２０に基づき、本発明による固定手段の第二の実施例を説明する。第二の実施構成の固定手段は、全体として符号３１１０を付与されている。
【０２０７】
この固定手段３１１０は、先ずは、二つの胴体羽根部３１１３から構成された拡幅可能な胴体部３１１２を備えた保持クリップ３１１１を有する。これらの胴体羽根部３１１３は、自由端３１１４を有し、連結された端部３１１５により、それぞれ胴体頭部３１６に固定されている。
【０２０８】
これらの胴体羽根部３１１３は、互いに間隔を開けて、それらの間に隙間空間３１１７を有する。これらの自由端３１１４は、括れており、そのようにして、固定手段３１１０を取り付けるために先頭にする差込鈍端３１１８を形成している。各胴体羽根部３１１３は、胴体頭部３１１６の方向に対して、これらの差込鈍端３１１８の後に配置された保持部３１１９を形成しており、それは、ここでは、外側方向を向いた、即ち、隙間空間３１１７７から離れる方向を向く、胴体羽根部３１１３の造形により作り出された繋止フック３１２０である。胴体頭部３１１６の方向に対して、更にその後に配置された胴体首部３１２１は、同じく外側方向を向いた解除突起３１２３を造形された胴体解除区画３１２２に移行している。
【０２０９】
この胴体頭部３１１６は、ほぼ円板形状に構成され、胴体羽根部３１１３に対してほぼ直角の方向を向いた平面に広がっている。この胴体頭部３１１６の仮想的な内径ｒは、固定手段３１１０の胴体部３１１２を差し込む第一の構成部品３１３３の貫通穴３１３８及び第二の構成部品３１３４の空洞３１３９の半径にほぼ等しい。その結果、胴体羽根部３１１３は、その半径ｒの所に有る。
【０２１０】
胴体羽根部３１１３を胴体頭部３１１６と連結する領域に、胴体頭部３１１６は、そのために、把持切欠き３１２４として図示されたオフセットを有する。これらの領域では、胴体頭部が外径Ｒから内径ｒにまで括れている。
【０２１１】
更に、固定手段３１１０の一部は、絶縁部材３１３０である。それは、ここで述べる第二の実施例では、ほぼリング形状又は円環形状に構成され、絶縁頭部３１３１を有する。このリングの内部空間は、貫通穴３１４３として構成される。
【０２１２】
特に、図３１２、３１４及び３１５から明らかな通り、この絶縁部材３１３０は、その絶縁頭部３１３１を胴体頭部３１１６の下に配置するように配備される。そのために、胴体羽根部３１１３は、絶縁頭部３１３１が胴体頭部３１１６の下側に接して配置されるまで、貫通穴３１４３を通して嵌め込まれる。
【０２１３】
図３１３、３１４及び３１５から分かる通り、胴体頭部３１１６の下側は、絶縁頭部３１３１の上側に接して配置され、それに対して、絶縁頭部３１３１の下側は、第一の構成部品３１３３に接して配置されるように配備される（図３１７）。図３１５は、更に、それらの自由端３１１４を内側に変形させて、それぞれ互いに向かって互いに支え合うスプリング脚部３１２６を備えることを図示している。これらは、胴体羽根部３１１３をそれらの拡幅位置に保持し、この拡幅位置では、繋止フック３１２０が内径ｒを超えて周囲に拡大して突き出る。
【０２１４】
最後に、保持クリップ３１１１が、有利には、金属薄板から打抜き曲げプロセスにより製作されることも指摘しておきたい。この絶縁部材３１３０は、非導電性材料から構成され、絶縁頭部３１３１は、ばね復元力を生み出す弾力的な材料から構成される。一つの有利な実施形態は、絶縁部材３１３０をシリコンから製作すると規定する。しかし、それ以外のばね復元力を生み出す弾力的なプラスチックも適している。
【０２１５】
図３１７は、取付状態における固定手段３１１０の図３１６の断面線Ａ−Ａに沿った断面図を図示している。先ずは、第二の構成部品３１３４に接して配置された第一の構成部品３１３３が見える。第一の構成部品３１３３が通常回路基板３１３５である場合、第二の構成部品３１３４は通常照明部品３１３６である。この回路基板３１３５は、回路基板３１３５上に配置された図示されていないＬＥＤに電気又は信号を供給する役割を果たす導体路３１３７を配備されている。この回路基板３１３５は貫通穴３１３８を備え、照明部品３１３６は空洞３１３９を有する。この第一の構成部品の貫通穴３１３８が必ず材料の厚さ全体を通る貫通穴３１３８として構成されなければならないことを補足しておきたい。第二の構成部品の空洞３１３９は、ここで図示された実施例では、同じく厚さ全体を通って材料を貫通する穴として構成されている。しかし、第二の構成部品の空洞３１３９は、正にめくら穴の形として構成することもできる。貫通穴３１３８と空洞３１３９の位置を互いに揃える。
【０２１６】
第一の構成部品３１３３と第二の構成部品３１３４を互いに連結するために、図３１７に図示されている通り、これら二つの構成部品は、貫通穴３１３８と３１３９の位置を揃て互いに重ねて配置される。次に、図３１２の通り、本発明による固定手段３１１０に事前に取り付けた、保持クリップ３１１１と絶縁部材３１３０から成るユニットが、差込方向Ｘに貫通穴３１３８を通して空洞３１３９内に嵌め込まれる。この場合、固定手段３１１０は、胴体部３１１２の自由端を先頭にして、特に、胴体羽根部３１１３の差込鈍端３１１８を先頭にして貫通穴３１３８と空洞３１３９に挿入される。最後に、絶縁頭部３１３１が回路基板３１３５の導体路３１３７を備えた表面に接して配置されることとなる。
【０２１７】
貫通穴３１３８の直径は、少なくとも内径ｒに等しく、胴体頭部３１１６の外径Ｒよりも小さい。空洞３１３９は、繋止フック３１２０の確実な繋止を保証するために、ほぼ内径ｒに一致する。
【０２１８】
固定手段３１１０をＸ方向に挿入した場合、直径が内径ｒを超えて拡大されて突き出た繋止フック３１２０が、貫通穴３１３８と空洞３１３９の縁をスライドし、その結果、繋止羽根部３１１３が隙間空間を狭くするように互いに押し狭められる。それによって、スプリング脚部３１２６が締め付けられて、胴体羽根部３１１３の隙間空間を狭くする動きに対抗してばね復元力を増大させる。
【０２１９】
絶縁頭部３１３１が回路基板３１３５の表面に接して配置されても、二つの構成部品３１３３，３１３４を互いに繋止するのに必要なＸ方向の差込運動は未だ完了していない。繋止フック３１２０は、少なくとも第二の構成部品３１３４の空洞３１３９を未だ最終的に貫通していない。そのために、Ｘ方向への差込運動の続行が必要であり、絶縁頭部３１３１を圧縮する差込圧力を胴体頭部３１６に加える。それによって、ばね復元力を生み出すように弾力的に構成された絶縁頭部３１３１によって、差込圧力に対抗するばね復元力が増大する。ここで、繋止フック３１２０は、空洞３１３９を貫通して、スプリング脚部３１２６のばね復元力が絶縁羽根部３１１３をその拡幅位置に動かして戻すことによって、空洞の下側を後方からロックする。それに対して、差込圧力に対抗して作用する絶縁頭部３１３１のばね復元力は維持されたままであり、構成部品３１３３及び３１３４を互いに締め付けて、その際、一方の繋止フック３１２０と他方の胴体頭部３１１６は、絶縁頭部３１３１のばね復元力に対抗して作用する支承部としての役割を果たす。このようにして、第一と第二の構成部品３１３３，３１３４の互いに接して配置された面の間に精確に規定可能な押圧力又は精確に規定可能な押付力を発生している。この点に関して、この第一の実施例で絶縁頭部３１３１がクランプ部材３１４０としての役割も果たすことが前記の機能の記述から明らかである。
【０２２０】
この固定手段が、特に、ＬＥＤを装備されたプレートを熱を排出する照明部品３１３６に固定するために配備されているので、第一と第二の構成部品３１３３，３１３４の間の所定の押圧力の発生は、本発明による固定手段３１１０の機能に関して極めて重要である。ＬＥＤの寿命に大きな影響を与える、そのため、回路基板３１３５から照明部品３１３６への所要の熱の排出は、第一の構成部品３１３３と第二の構成部品３１３４の間の正しい当接圧力によって極めて大きな影響を受ける。
【０２２１】
しかし、構成部品３１３３と３１３４を互いに分離するために、固定手段３１１０を再び取り外すことができるとも規定される。この目的のために、保持クリップ３１１１は、図３０１及び３１３で良好に認識できる、前に別途簡単に述べた、プライヤのための空間を提供する把持切欠き３１２４を有する。図３１８には、構成部品３１３３と３１３４を互いに連結して取り付けられた固定手段３１１０の斜視図が図示されている。把持切欠き３１２４の領域内の絶縁頭部３１３１の露出した区画にプライヤ顎部３１４２を置いたプライヤ頭部３１４１が模式的に図示されている。図３２０は、構成部品３１３３と３１３４を互いに固定する固定手段３１１０の図３１９の断面線Ｂ−Ｂに沿った断面図を図示している。図３２０は、更に、図３１９において見易くするために省略されたプライヤ顎部３１４２を図示している。
【０２２２】
図３２０では、繋止フック３１２０が第二の構成部品３１３４の下側を下方から捕捉し、そのようにして、絶縁頭部３１３１と繋止フック３１２０の間で二つの構成部品３１３３，３１３４を互いに連結して配置していることを明らかに見られる。プライヤ顎部３１４２の互いに向かい合った作用面が、絶縁頭部３１３１の露出した区画に載っている。このプライヤを締めることは、プライヤ顎部３１４２を互いに近付けて動かすこととなる。その結果、胴体羽根部３１１３を隙間空間３１１７に動かす力が、絶縁頭部３１３１を媒介して解除突起３２３に加わる。即ち、拡幅方向と逆向きの動きが引き起こされる。それによって、スプリング脚部３１２６がばね復元力を生み出すように弾力的に変形されて、胴体羽根部３１１３の移動方向に対抗して作用するばね復元力を再び増大させる。胴体羽根部３１１３を互いに十分に動かした後、直ちにプライヤを用いて、差込方向Ｘと逆向きに固定手段３１１０を空洞３１３９と貫通穴３１３８から引き出すことができ、その結果、第一の構成部品３１３３と第二の構成部品３１３４は互いに分離することが可能となる。
【０２２３】
極めて有利な実施構成では、保持クリップ３１１１が金属から構成されることにも言及したい。有利には、保持羽根部３１１３自体が、同じくばね復元力を生み出すように弾力的に胴体頭部３１１６と連結される。有利には、絶縁部材３１３０は、その絶縁頭部３１３１と共にばね復元力を生み出す弾力的なシリコンから構成される。保持クリップ３１１１用の材料として金属を選択することは、それが絶縁頭部３１３１／クランプ部材３１４０により加えられるばね復元力に耐えるのに対して、プラスチックの場合、通常それが時間と共にクランプ部材３１４０のばね復元力を弱める虞が生じるとの主要な利点を有する。そのことは、第一と第二の構成部品３１３３，３１３４の間の連結を解除させる可能性が有るが、如何なる場合でも、二つの構成部品３１３３と３１３４の間の押圧力が低下して、それが熱伝導を低下させるとの結果を生み出す。
【０２２４】
前記の二つの記述から明らかな通り、本発明の第三グループの固定手段３１０，３１１０に関する第一及び第二の実施構成は、構造と機能が非常に類似している。ここで、これら以外の本発明の第三グループの本発明による別の固定手段の第三の実施例に関して、図３２１〜３３２に基づき説明する。
【０２２５】
第三の実施構成の固定手段は、全体として符号３２１０で表され、図３２１では、第一の構成部品３２３３と第二の構成部品３２３４を除く分解図により図示されている。
【０２２６】
この固定手段３２１０は、先ずは保持クリップ３２１１と、更に保持クリップ３２１１と協力して動作する絶縁部材３２３０とを有する。ここで、絶縁部材３２３０は、又もや絶縁頭部３２３１とそれに対して直角の方向を向く絶縁胴体部３２３２を備える。
【０２２７】
この絶縁頭部３２３１は、円板形状に構成され、絶縁胴体部３２３２内を垂直に通る通路３２４４に合流する中央の貫通穴３２４３を備えている。この通路３２４４の側には、その円周面を貫通する、二つの互いに向き合う貫通穴３２４５が配備されている。この絶縁頭部３２３１は、その構成部品３２３３，３２３４から離れた上側に、外周を取り囲むカラー部３２４６を有する。
【０２２８】
この保持クリップ３２１１は、第一及び第二の実施例の保持クリップ３１１及び３１１１と比べて、明らかに異なる形で構成されている。この胴体頭部３２１６は、ほぼリング部材に縮小されて、スプリング蝶番３２２６を介して材料結合により一体的に胴体頭部３２１６と結合された、二つの互いに対向して配置された操作器具３２２５を備えている。
【０２２９】
胴体部３２１２と保持クリップ３２１１は、又もや二つの胴体羽根部３２１３から構成され、それらの間に隙間空間３２１７を自由に保持する。これらの胴体羽根部３２１３の自由端３２１４は、それぞれ胴体頭部３２１６の方向に対してそれぞれ繋止フック３２２０の形の保持部３２１９を後に配置した差込突起３２１８を有する。各胴体羽根部３２１３は、胴体首部３２２１を用いて、それぞれ材料結合により操作器具３２２５と一体的に固定されている。
【０２３０】
これらのスプリング蝶番３２２６は、外周において胴体頭部３２１６と連結されて、胴体頭部の中心方向に変形されており、その結果、胴体頭部３２１６の内側リング空間３２４７を包囲している。胴体頭部のスプリング蝶番３２２６と対向する端部では、胴体羽根部３２１３の胴体首部３２２１が、操作器具３２２５と連結されるとともに、胴体頭部３２１６の下側の方向、即ち、絶縁部材３２３０の方向に内側リング空間３２４７を貫通している。
【０２３１】
図３２２は、保持クリップ３２１１と絶縁部材３２３０が一つの構造ユニットを構成する、事前に取り付けられた固定手段３２１０を図示している。そのために、保持クリップ３２１１は、その胴体羽根部３２１３を先頭にして絶縁部材３２３０上に設置されて、胴体羽根部３２１３が、絶縁頭部３２３１の貫通穴３２４３を貫通して、絶縁胴体部３２３２の通路３２４４内に嵌入される。この場合、繋止フック３２２０が、貫通及び通路壁をスライドして、それらの間に生じる隙間空間３２１７内を内側に動く。それによって、操作器具３２２５との胴体首部３２２１のばね復元力を生み出す弾力的な結合が、隙間空間３２１７内への動きに対抗して作用するばね復元力を増大させる。絶縁胴体部３２３２の貫通穴３２４５に到達した場合、繋止フック３２２０は、周囲を拡大させて貫通穴３２４５から突き出て、貫通穴の壁を後方から把持する。
【０２３２】
この胴体頭部３２１６は、絶縁頭部３２３１の上側に接して配置される。胴体頭部３２１６のための接合面３２４８を制限するカラー部３２４６によって、側方に滑り落ちることを防止している。
【０２３３】
図３２３と３２４は、保持クリップ３２１１と絶縁部材３２３０から成る事前に取り付けられたユニットとしての固定手段３２１０を二つの異なる側面図で図示しており、図３２４の側面図は、図３２３の図面に対して胴体部３２１２の縦軸の周りを９０度回転されている。二つの図面から、前述した手法で繋止フック３２２０が保持クリップ３２１１を絶縁部材３２３０に如何にして繋止しているのかが分かる。
【０２３４】
特に、図３２４と関連して、本発明の第三グループの第一及び第二の実施構成に対する第三の実施例の更に別の相違点を説明する。既に前述した通り、この固定手段３２１０も内径ｒを有するが、ここでは、その内径は、ほぼ絶縁胴体部３２３２の外周によって決定されるのに対して、外径Ｒは、特に、絶縁頭部３２３１によって決定される。図３２４から分かる通り、固定手段３２１０を事前に取り付けるためには、繋止フック３２２０が絶縁胴体部の貫通穴３２４５の制限壁を後方から把持して、その結果、繋止フック３２２０が完全に又はほぼ完全に内径ｒを超えて突き出ることがなければ、それで全く十分である。特に、この第三の実施構成では、繋止フック３２２０が、事前取付位置において、そのため、貫通穴３２３８と空洞３２３９内に差し込まれた際に、未だ構成部品３２３３と３２３４を互いに連結して繋止する拡幅位置に位置しないことが主要な特徴である。
【０２３５】
ここで、又もや第一に導体路３２３７とＬＥＤを装備した回路基板３２３５及び照明部品３２３６とすることができる構成部品３２３３及び３２３４を互いに連結するために、以下の通り措置する。
【０２３６】
回路基板３２３５と照明部品３２３６は、貫通穴３２３８と空洞３２３９の位置を互いに揃えて設置される。既に前の実施例で説明した通り、空洞３２３９は、照明部品３２３６の材料の厚さ全体を貫通する穴とすることも、めくら穴の形の空洞とすることもできる。この場合、貫通穴３２３８と空洞３２３９の直径は、少なくとも内径ｒに等しいが、繋止フックが照明器具３２３６の下側を後方から把持するとともに、絶縁頭部３２３１及び胴体頭部３２３６が回路基板３２３５の上側に接して配置されることを保証するのに十分なサイズである限り、それよりも僅かに大きくすることもできる。
【０２３７】
構成部品３２３３と３２３４を重ねて配置した後、固定手段３２１０は、絶縁頭部３２３１が回路基板３２３５の上側に接して配置されるまで、絶縁胴体部３２３２と共に差込方向Ｘに貫通穴３２３８を通して空洞３２３９内に挿入される。この位置では、繋止フック３２２０は、貫通穴３２３８又は空洞３２３９の領域に留まり、その結果、固定手段３２１０を差し込むだけでは、未だ構成部品３２３３と３２３４を重ねて固定することにはならない。この前述した状況が図３２７に図示されているが、図３２３の断面線Ａ−Ａの沿った断面図に対して構成部品３２３４と３２３５が補足されている。
【０２３８】
図３２８は、図３２５の断面線Ｂ−Ｂの沿った断面図であり、固定手段３２１０を用いて重ねて固定された構成部品３２３３と３２３４を図示している。そのために、図３２４の図面から、操作器具３２２５を差込方向Ｘに動かす。それによって、スプリング蝶番３２２６は、応力を受けて、差込方向Ｘと逆向きのばね復元力を発生する。同時に、操作器具３２２５と一緒に動く胴体羽根部３２１３が、同じく差込方向Ｘに動いて、空洞３２３９を貫通する。
【０２３９】
操作器具３２２５がスプリング蝶番３２２６により胴体頭部３２１６と片側で連結されていることは、胴体頭部の表面に対して平行に延びる軸の周りに操作器具を円弧形状に動かすこととなる。胴体羽根部３２１３は、この円弧形状の動きに追従する。その結果、これらの胴体羽根部は、空洞３２３９を貫通した後、内径ｒに関して直径を拡大して、絶縁胴体部３２３２の貫通穴３２４５から突き出て、照明部品３２３６を下方から把持する。更に、クランク区画３２４９が、繋止フック３２２０の下方からの把持を確実にしており、それによって、繋止フック３２２０のロックを実現している。
【０２４０】
本発明の第三グループの第一及び第二の実施例と異なり、例えば、絶縁頭部３２３１は、クランプ部材の役割を果たさない。所定の押圧力を実現するために構成部品３２３３と３２３４の間に必要なクランプ力は、スプリング蝶番３２２６によって発生され、その点において、それは、クランプ部材３２４０と見做される。操作器具３２２５の差込方向Ｘへの動きにより生み出されるばね復元力は、繋止フック３２２０に対して胴体頭部３２１６を締め付け、それによって、熱伝導を確実にする押圧力を作り出している。この場合、絶縁部材３２３０、即ち、絶縁頭部３２３１は、回路基板の表面に対して金属製の保持クリップ３２１１を電気的に絶縁するとともに、損傷に対して機械的に保護する役割を果たす。
【０２４１】
図３２６は、固定位置における固定手段３２１０の側面図を再度図示しているが、構成部品３２３３と３２３４が省略されている。この図面から、繋止フック３２２０が（図３２３に図示された）事前取付位置と比べて、更に差込方向Ｘに動いていることが分かる。
【０２４２】
図３２９は、構成部品３２３３と３２３４を重ねて固定した固定手段３２１０の斜視図を図示している。この図からも、図３２８からも、構成部品３２３４の下側での繋止フック３２２０のロック後に、操作器具３２２５が胴体頭部３２１６の表面に対してほぼ平行の方向を向いていることが分かる。
【０２４３】
ここで、図３３０〜３３２に基づき、構成部品３２３３と３２３４を互いに分離するために、本発明の第三の実施構成の固定手段３２１０を如何にして解除できるかを説明する。
【０２４４】
図３３０は、そのために、又もや本発明の第三の実施構成の固定手段３２１０を用いて重ねて固定された構成部品３２３３と３２３４の斜視図を図示している。ほぼトライアングル状に形成された解除フック３２５０の形の解除工具を操作器具３２２５の解除穴３２２７に嵌め込む。ここで、解除穴３２２７に挿入されたフック端部３２５１を互いに近付けて動かすと、胴体羽根部３２１３の自由端３２１４を胴体羽根部３２１３の間に配置された隙間空間３２１７に動かすこととなる。そのようにして、繋止連結が解除されて、固定手段３２１０は、差込方向Ｘと逆向きに空洞３２３９及び貫通穴３２３８から引き出すことが可能となる。次に、構成部品３２３３と３２３４を互いに分離することができる。
【０２４５】
この第三の実施構成では、クランプ部材がスプリング蝶番３２２６により構成されるので、絶縁部材自体もばね復元力を生み出す弾力的な材料でない材料から、例えば、それに対応するプラスチックやセラミック、或いはそれ以外の絶縁材から製作することもできる。時間が経過しても一定に保持される構成部品３２３３と３２３４の間の所定の押圧力を発生させるためには、保持クリップ３２１１を金属から製作するのが有利である。特に、保持クリップ３２１１は、打抜き曲げ部品として構成することができる。
【０２４６】
［第四グループの発明］
本発明による固定手段は、図面において、全体として符号４１１０を付与されている。
【０２４７】
この固定手段４１１０は、先ずは、二つの胴体羽根部４１１３から構成された胴体部４１１２を備えた保持クリップ４１１１を有する。これらの胴体羽根部４１１３は、自由端４１１４を有し、連結された端部４１１５により、それぞれ胴体頭部４１１６に固定されている。
【０２４８】
これらの胴体羽根部４１１３は、互いに間隔を開けて、それらの間に隙間空間４１１７を有する。これらの自由端４１１４は、先細になっており、そのようにして、固定手段４１１０を取り付けるために先頭にする差込鈍端４１１８を形成している。各胴体羽根部４１１３は、胴体頭部４１１６の方向に対して、これらの差込鈍端４１１８の後に配置された保持部４１１９を形成しており、それは、ここでは、外側方向を向いた、即ち、隙間空間４１１７から離れる方向を向く繋止フック４１２０である。胴体頭部４１１６の方向に対して、更にその後に配置された胴体首部４１２１は、同じく外側方向を向く解除突起４１２３を造形された胴体解除区画４１２２に移行している。
【０２４９】
この胴体頭部４１１６は、ほぼ円板形状に構成され、胴体羽根部４１１３に対してほぼ直角の方向を向く平面に広がっている。この胴体頭部４１１６の仮想的な内径ｒは、固定手段４１１０の胴体部４１１２を差し込む第一の構成部品４１３３の貫通穴４１３８及び第二の構成部品４１３４の空洞の半径にほぼ等しい。その結果、胴体羽根部４１１３は、ほぼその半径ｒの所に有る。
【０２５０】
胴体羽根部４１１３を胴体頭部４１１６と連結する領域に、胴体頭部４１１６は、そのために、把持切欠き４１２４として図示されたオフセットを有する。これらの領域では、胴体頭部が外径Ｒから内径ｒにまで括れている。
【０２５１】
更に、固定手段４１１０の一部は、絶縁部材４１３０である。それは、ここで述べる第一の実施例では、ほぼリング又は円環形状に構成される。このリングの内部空間は、貫通穴４１４３として構成される。
【０２５２】
特に、図４０２、４０４及び４０５から見える通り、絶縁部材４１３０は、胴体頭部４１１６の下に配置されるように配備される。そのために、胴体羽根部４１１３は、絶縁部材４１３０が胴体頭部４１１６の下側に当接するまで、貫通穴４１４３を通して嵌入される。
【０２５３】
図４０３、４０４及び４０５から分かる通り、胴体頭部４１１６の下側は、絶縁部材４１３０の上側に接して配置され、それに対して、絶縁部材４１３０の下側は、第一の構成部品４１３３に接して配置されるように配備される（図４０７）。図４０５は、更に、胴体羽根部４１１３の自由端４１１４が内側に変形されて、それぞれ互いに向き合って支持し合う支持部材４１２６を備えることを図示している。これらは、胴体羽根部４１１３をその標準位置に固く保持し、この標準位置では、繋止フック４１２０が内径ｒを超えて周囲に拡大して突き出ている。
【０２５４】
最後に、保持クリップ４１１１が、有利には、金属薄板から打抜き曲げプロセスにより製作されることも指摘しておきたい。この絶縁部材４１３０は、非導電性材料から構成されるとともに、ばね復元力を生み出す弾力的な材料から構成される。一つの有利な実施形態は、絶縁部材４１３０をシリコンから製作すると規定する。しかし、それ以外のばね復元力を生み出す弾力的なプラスチックも適している。
【０２５５】
図４０７は、取付状態における固定手段４１１０の図４０６の断面線Ａ−Ａに沿った断面図を図示している。先ずは、第二の構成部品４１３４に接して配置された第一の構成部品４１３３が見える。第一の構成部品４１３３が通常回路基板４１３５である場合、第二の構成部品４１３４は通常照明部品４１３６である。この回路基板４１３５は、回路基板４１３５上に配置された図示されていないＬＥＤに電気又は信号を供給する役割を果たす導体路４１３７を配備される。この回路基板４１３５は貫通穴４１３８を備え、照明部品４１３６は空洞４１３９を有する。この第一の構成部品の貫通穴４１３８が必ず材料の厚さ全体を通る貫通穴として構成されなければならないことを補足しておきたい。第二の構成部品の空洞４１３９は、ここで図示された実施例では、同じく厚さ全体を通って材料を貫通する穴として構成されている。しかし、第二の構成部品４１３４の空洞４１３９は、正にめくら穴の形として構成することもできる。貫通穴４１３８と空洞４１３９の位置を互いに揃える。
【０２５６】
第一の構成部品４１３３と第二の構成部品４１３４を互いに連結するために、図４０７に図示されている通り、これら二つの構成部品は、貫通穴４１３８と４１３９の位置を揃えた形で互いに重ねて配置される。次に、図４０２の通り、本発明による固定手段４１１０に事前に取り付けた、保持クリップ４１１１と絶縁部材４１３０から成るユニットが、差込方向Ｘに貫通穴４１３８を通して空洞４１３９内に嵌め込まれる。この場合、固定手段４１１０は、胴体部４１１２の自由端４１１４、特に、胴体羽根部４１１３の差込鈍端４１１８を先頭にして貫通穴４１３８と空洞４１３９に挿入される。最後に、絶縁部材４１３０が回路基板４１３５の導体路４１３７を備えた表面に接して配置されることとなる。
【０２５７】
貫通穴４１３８の直径は、少なくとも内径ｒに等しく、胴体頭部４１１６の外径Ｒよりも小さい。空洞４１３９は、繋止フック４１２０の確実なロックを保証するために、ほぼ内径ｒに一致する。
【０２５８】
固定手段４１１０をＸ方向に挿入した場合、直径が内径ｒを超えて拡大されて突き出た繋止フック４１２０が、貫通穴４１３８と空洞４１３９の縁をスライドする。繋止羽根部４１１３が互いに固く支持し合うので、繋止フック４１２０は、内側空間４１１７の方向にばね復元力を生み出すように弾力的に動く。
【０２５９】
絶縁部材４１３０が回路基板４１３５の表面に接して配置されても、二つの構成部品４１３３，４１３４を互いに繋止するのに必要なＸ方向の差込運動は未だ完了していない。繋止フック４１２０は、少なくとも第二の構成部品４１３４の空洞４１３９を未だ最終的に貫通していない。そのために、Ｘ方向への差込運動の続行が必要であり、絶縁部材を圧縮する差込圧力を胴体頭部４１１６に加える。それによって、ばね復元力を生み出すように弾力的に構成された絶縁部材４１３０によって、差込圧力に対抗するばね復元力が増大する。ここで、繋止フック４１２０は、空洞４１３９を貫通して、ばね復元力が繋止フック４１２０を動かして戻すことによって、空洞の下側を後方からロックする。
【０２６０】
それに対して、差込圧力に対抗して作用する絶縁部材４１３０のばね復元力は維持されたままであり、構成部品４１３３及び４１３４を互いに締め付け、その際、一方の繋止フック４１２０と他方の胴体頭部４１１６は、絶縁部材４１３０のばね復元力に対抗して作用する支承部としての役割を果たす。このようにして、第一と第二の構成部品４１３３，４１３４の互いに接して配置された面の間に精確に規定可能な押圧力又は精確に規定可能な押付力を発生させている。この点に関して、絶縁部材４１３０がクランプ部材４１４０としての役割も果たすことが前記の機能の記述から明らかである。
【０２６１】
この固定手段が、特に、ＬＥＤを装備されたプレートを熱を排出する照明部品４１３６に固定するために配備されているので、第一と第二の構成部品４１３３，４１３４の間の所定の押圧力の発生は、本発明による固定手段４１１０の機能に関して極めて重要である。ＬＥＤの寿命に大きな影響を与える、そのため、回路基板４１３５から照明部品４１３６への所要の熱の排出は、第一の構成部品４１３３と第二の構成部品４１３４の間の正しい当接圧力によって極めて大きな影響を受ける。
【０２６２】
しかし、構成部品４１３３と４１３４を互いに分離するために、固定手段４１１０を再び取り外すことができるとも規定される。この目的のために、保持クリップ４１１１は、図４０１と４０３で良好に認識できる、前に別途簡単に述べた、プライヤのための空間を提供する把持切欠き４１２４を有する。図４０８には、構成部品４１３３と４１３４を互いに連結して取り付けられた固定手段４１１０の斜視図が図示されている。この把持切欠き４１２４の領域の絶縁部材４１３０の開放された区画にプライヤ顎部４１４２を置いたプライヤ頭部４１４１が模式的に図示されている。図４１０は、構成部品４１３３と４１３４を互いに固定する固定手段４１１０の図４０９の断面線Ｂ−Ｂに沿った断面図を図示している。図４１０は、更に、図４０９において見易くするために省略されたプライヤ顎部４１４２を図示している。
【０２６３】
図４１０では、繋止フック４１２０が第二の構成部品４１３４の下側を下方から捕捉し、そのようにして、絶縁部材４１３０と繋止フック４１２０の間で二つの構成部品４１３３，４１３４を互いに連結して配置していることが明らかに見える。プライヤ顎部４１４２の互いに向かい合った作用面が、絶縁部材４１３０の開放された区画に載っている。このプライヤを締めることは、プライヤ顎部４１４２を互いに近付けて動かすこととなる。その結果、絶縁部材４１３０を媒介して、胴体羽根部４１１３を繋止フック４１２０の領域の隙間空間４１１７に動かす力が解除突起４１２３に加わる。それによって、胴体羽根部４１１３がばね復元力を生み出すように弾力的に変形して、胴体羽根部４１１３の移動方向に対抗して作用するばね復元力を再び増大させる。胴体羽根部４１１３を互いに十分に動かした後、直ちにプライヤを用いて、差込方向Ｘと逆向きに固定手段４１１０を空洞４１３９と貫通穴４１３８から引き出すことができ、その結果、第一の構成部品４１３３と第二の構成部品４１３４は互いに分離することが可能となる。
【０２６４】
極めて有利な実施構成では、保持クリップ４１１１が金属から構成されることにも言及したい。有利には、絶縁部材４１３０は、ばね復元力を生み出す弾力的なシリコンから構成される。保持クリップ４１１１用の材料として金属を選択することは、それが絶縁部材４１３０により加えられるばね復元力に耐えるのに対して、プラスチックの場合、通常それが時間と共にクランプ部材のばね復元力を弱める虞が生じるとの主要な利点を有する。そのことは、第一と第二の構成部品４１３３，４１３４の間の連結を解除させる可能性が有るが、如何なる場合でも、二つの構成部品４１３３と４１３４の間の押圧力が低下して、それが熱伝導を低下させるとの結果を生み出す。
【０２６５】
［第五グループの発明］
本発明による固定手段は、全体として符号５２１０を付与されており、以下において実施形態と機能を説明する。
【０２６６】
図５０１に図示されている通り、本発明による固定手段５２１０は、第一の構成部品５２３３を第二の構成部品５２３４上に配置する役割を果たす。第一の構成部品５２３３は、例えば、一つ又は複数のＬＥＤ５２２４を上に配置した回路基板５２３５である。この第二の構成部品５２３４は、例えば、照明部品５２３６であり、回路基板５２３５を保持する外に、ＬＥＤ５２２４の動作時の熱を排出する役割を果たす。
【０２６７】
第一の構成部品５２３３は、貫通穴５２３８を有し、第二の構成部品５２３４は、それに対応する数の空洞５２３９を有する。この場合、空洞５２３９は、材料の厚さを完全に貫通する貫通穴として構成することも、めくら穴の空洞として構成することも同様に可能であり、それに対して、貫通穴５２３８は、如何なる場合でも第一の構成部品５２３３の材料の厚さ全体を貫通する。
【０２６８】
構成部品５２３３と５２３４を互いに接して固定するために、これらは、各貫通穴５２３８と空洞５２３９の位置が揃うように互いに接して設置される。ここで、固定手段５２１０が貫通穴５２３８に取り付けられて、貫通穴を貫通して空洞５２３９内にまで差し込まれる。この実施例では、固定手段５２１０は、第二の構成部品５２３４の下側に突き出る。
【０２６９】
図５０２と５０３には、固定手段５２１０がそれぞれ側面図で図示されており、図５０３の固定手段５２１０は、図５０２の図面に対して、その縦方向の中心軸Ｌの周りを９０度回転されている。
【０２７０】
この実施例では、固定手段５２１０は保持クリップ５２１１として構成されており、以下において、図５０２〜５０４に基づき、その詳細を説明する。それによると、保持クリップ５２１１は、胴体頭部５２１６と胴体部５２１２に分けられる。この胴体頭部５２１６は、ほぼリング部材に縮小されて、スプリング蝶番５２２６を介して材料結合により一体的に胴体頭部５２１６と結合された、二つの互いに対向して配置された操作器具５２２５を備えている。
【０２７１】
保持クリップ５２１１の胴体部５２１２は、二つの胴体羽根部５２１３から構成され、それらの間に隙間空間５２１７を自由に保持する。これらの胴体羽根部５２１３の自由端５２１４は、それぞれ胴体頭部５２１６の方向に対してそれぞれ繋止フック５２２０の形の保持部５２１９を後に配置した差込突起５２１８を有する。各胴体羽根部５２１３は、胴体首部５２２１を用いて、それぞれ材料結合により操作器具５２２５と一体的に固定されている。
【０２７２】
これらのスプリング蝶番５２２６は、外周において胴体頭部５２１６と連結されて、胴体頭部の中心方向に変形されており、その結果、胴体頭部５２１６の内側リング空間５２４７を包囲している。胴体頭部のスプリング蝶番５２２６と対向する端部では、胴体羽根部５２１３の胴体首部５２２１が、操作器具５２２５と連結されるとともに、胴体頭部３２１６の下側の方向、即ち、構成部品５２３３及び５２３４の方向に内側リング空間５２４７を貫通している。
【０２７３】
図５０６は、保持クリップ５２１１がその胴体頭部５２１６と共に第一の構成部品５２３３に接して配置された、事前に取り付けられた固定手段５２１０を図示している。胴体羽根部５２１３は、貫通穴５２３８を貫通して、空洞５２３９内に納まっているが、構成部品５２３３，５２３４を互いに固定するようには作用していない。この事前取付位置では、繋止突起５２２０は、空洞５２３９の内壁でのみ支持されている。この場合、操作器具５２２５との胴体首部５２２１のばね復元力を生み出す弾力的な結合が、隙間空間５２１７内への動きに対抗して作用するばね復元力を増大させる。
【０２７４】
ここで、又もや第一に導体路５２３７とＬＥＤを装備した回路基板５２３５及び照明部品５２３６とすることができる構成部品５２３３及び５２３４を互いに連結するために、以下の通り措置する。
【０２７５】
回路基板５２３５と照明部品５２３６は、貫通穴５２３８と空洞５２３９の位置を互いに揃えて設置される。既に説明した通り、空洞５２３９は、照明部品５２３６の材料の厚さ全体を貫通する穴とすることも、めくら穴の形の空洞とすることもできる。
【０２７６】
構成部品５２３３と５２３４を重ねて配置した後、保持クリップ５２１１は、胴体頭部５２１６が回路基板５２３５の上側に接して配置されるまで、胴体羽根部５２１３を先頭にして差込方向Ｘに貫通穴５２３８を通して空洞５２３９内に挿入される。この位置では、繋止フック５２２０は、貫通穴５２３８又は空洞５２３９の領域に留まり、その結果、固定手段５２１０を差し込むだけでは、未だ構成部品５２３３と５２３４を重ねて固定することにはならない。この前述した状況が図５０６に図示されている。
【０２７７】
図５０７は、保持クリップ５２１１を用いて重ねて固定された構成部品５２３３と５２３４を図示している。そのために、図５０６の図面から、操作器具５２２５を差込方向Ｘに動かす。それによって、スプリング蝶番５２２６は、応力を受けて、差込方向Ｘと逆向きのばね復元力を発生する。同時に、操作器具５２２５と一緒に動く胴体羽根部５２１３が、同じく差込方向Ｘに動いて、空洞５２３９を貫通する。
【０２７８】
操作器具５２２５がスプリング蝶番５２２６により胴体頭部５２１６と片側で連結されていることは、胴体頭部の表面に対して平行に延びる軸の周りに操作器具５２２５を円弧形状に動かすこととなる。胴体羽根部５２１３は、この円弧形状の動きに追従する。その結果、これらの胴体羽根部は、空洞５２３９を貫通した後、拡幅運動により外側に突き出て、照明部品５２３６を下方から把持する。更に、クランク区画５２４９が、繋止フック５２２０の下方からの把持を確実にしており、それによって、繋止フック５２２０のロックを実現している。図５０５の斜視図は、保持クリップ５２１１を用いて互いに固定された構成部品５２３３，５２３４を図示している。
【０２７９】
所定の押圧力を実現するために構成部品５２３３と５２３４の間に必要なクランプ力は、スプリング蝶番５２２６によって発生され、その点において、それは、クランプ部材５２４０と見做される。操作器具５２２５の差込方向Ｘへの動きにより生み出されるばね復元力は、繋止フック５２２０に対して胴体頭部５２１６を締め付け、それによって、熱伝導を確実にする押圧力を作り出している。
【０２８０】
図５０５は、構成部品５２３３と５２３４を重ねて固定した固定手段５２１０の斜視図を図示している。この図から、構成部品５２３４の下側での繋止フック５２２０のロック後に、操作器具５２２５が胴体頭部５２１６の表面に対してほぼ平行な方向を向くことが分かる。空洞５２３９がめくら穴の場合、胴体羽根部５２１３を摩擦接合により固定することができる。それに代わって、リング溝又はそれ以外の構成の繋止空洞内でロックすることも考えられる。
【０２８１】
ここで、図５０８と５０９に基づき、構成部品５２３３と５２３４を互いに分離するために、本発明の固定手段５２１０を如何にして解除できるかを説明する。
【０２８２】
図５１０は、そのために、又もや保持クリップ５２１１を用いて重ねて固定された構成部品５２３３と５２３４の斜視図を図示している。ほぼトライアングル状に形成された解除フック５２５０の形の解除工具を操作器具５２２５の解除穴５２２７に嵌め込む。ここで、解除穴５２２７に挿入されたフック端部５２５１を互いに近付けて動かすと、胴体羽根部５２１３の自由端５２１４を胴体羽根部５２１３の間に配置された隙間空間５２１７に動かすこととなる。そのようにして、繋止連結が解除されて、保持クリップ５２１１は、差込方向Ｘと逆向きに空洞５２３９及び貫通穴５２３８から引き出すことが可能となる。次に、構成部品５２３３と５２３４を互いに分離することができる。
【０２８３】
特に、図５０２と５０３から分かる通り、胴体頭部５２１６は、下側に心出し機構５２４６を有する。これらは、第一の構成部品５２３３に接して配置された場合、保持クリップ５２１１の正しい位置への配置を保証するために、その貫通穴５２３８内に嵌入する。
【０２８４】
本発明による固定手段は、一つの半製品から形成されるワンピースの打抜き曲げ部品である。そのような半製品が図５１０に図示されている。成形／曲げプロセス後に得られる構成部品は、それに対応する符号で表される。
【０２８５】
本発明の更に別の主要な利点は、図５０２ｂと５０２ｃに基づき説明することができる。図５０２ｃでは、繋止フック５１２０が貫通穴５２３８と空洞５２３９を貫通した後第二の構成部品５２３４の下側で繋止することによって、保持クリップ５２１１が第一の構成部品５２３３を第二の構成部品５２３４に固く保持する。
【０２８６】
図５０２ｂは、図５０２ｃの取付又は固定位置での保持クリップ５２１１を図示しているが、縦方向の中心軸Ｌの周りを９０度回転されている。即ち、操作器具５２２５及びその動きと関連した繋止フック５２２０は、それらが二つの構成部品を互いに固定する位置に有る。構成部品５２３３，５２３４は、後の説明を分かり易くするために省略されている。
【０２８７】
保持クリップ５２１１の第一の主要な利点は、或る程度の材料許容範囲、特に、構成部品５２３３，５２３４の材料の厚さの許容範囲に対処できることである。そのためには、操作手段５２２５の所定の、特に、長いスプリング行程が有用である。定格サイズに対応する構成部品５２３３，５２３４を連結する場合、操作器具５２２５をその静止位置（図５０２ａを参照）から操作方向Ｘに動かすことによって、標準行程が実施される。これは、繋止フック５２２０を空洞５２３９の下側に突き出させて繋止可能とするのに十分である。しかし、特に、図５０２ｂから分かる通り、操作器具５２２５と胴体頭部５２１６の間に隙間５２５２が残っている。この隙間は、Ｘ方向において標準行程を上回る過剰行程を許容し、そのため、繋止フック５２２０の操作方向Ｘへの更に進む動きを許容し、その結果、定格サイズと比べて大きな材料の厚さを有する二つの構成部品５２３３，５２３４を互いに固定することも可能となる。そのため、保持クリップ５２１１は、所定の範囲内で材料の許容範囲に対処することができる。
【０２８８】
同時に、本発明による保持クリップ５２１１では、スプリング部材５２２６の可塑的な変形とそれに付随して起こるスプリング部材５２２６の損傷を防止するために、操作器具５２２５の起こり得る過剰行程を制限していることに留意されたい。図面の実施例では、この過剰行程の制限は、胴体頭部５２１６との操作器具５２２５の当接により操作方向Ｘにおける操作器具５２２５の行程を制限することによって、機械的に実現されている。その点に関して、胴体頭部５２１６は、Ｘ方向における操作器具５２２５の最大操作行程に関するストッパを構成する。胴体頭部５２１６の上側に配置された突起、横木又はピンによっても、同じく操作行程に関する好適なストッパを構成できることが容易に想到される。
【０２８９】
最後に、更に別の利点は、操作器具５２２５の具体的な実施形態からも得られる。特に、図５０４と５０５の斜視図から、さもなければ、例えば、図５０３から明らかな通り、操作器具５２２５は、ほぼ腎臓又は豆形状に構成されて、鎌形状の空洞を有する。それによって、操作器具５２２５自体が弾力特性を有して、構成部品５２３３，５２３４相互の所定の当接圧力の保証に寄与することを実現している。この効果が大きくなる程、過剰行程が大きくなり、操作器具５２２５が、ストッパのより近くに到達する。
【０２９０】
全体として、そのようにして、材料の厚さの許容範囲においても、所定の当接圧力により二つの構成部品５２３３，５２３４を互いに確実に連結することを保証する固定手段を実現している。
【０２９１】
［備考］
本出願は、五つのグループの発明を開示している。
【０２９２】
第一のグループの発明は、国際出願時の明細書の２〜２０頁に記載され、図１〜１８に図示され、請求項１〜１１に記載された発明である。
【０２９３】
第二のグループの発明は、国際出願時の明細書の２２〜３６頁に記載され、図２０１〜２１６に図示され、請求項２０１〜２１１に記載された発明であり、最初にドイツ実用新案第２０２０１４００１３３０号明細書で開示された。
【０２９４】
第三のグループの発明は、国際出願時の明細書の３８〜６９頁に記載され、図３０１〜３２２に図示され、請求項３０１〜３２２に記載された発明であり、最初にドイツ実用新案第２０２０１３００６３２５号明細書で開示された。
【０２９５】
第四のグループの発明は、国際出願時の明細書の７１〜８５頁に記載され、図４０１〜４１０に図示され、請求項４０１〜４１１に記載された発明であり、最初にドイツ実用新案第２０１０１３００７５８９号明細書で開示された。
【０２９６】
第五のグループの発明は、国際出願時の明細書の８７〜１０１頁に記載され、図５０１〜５１０に図示され、請求項５０１〜５１０に記載された発明であり、最初にドイツ実用新案第２０１０１３００６３２６号明細書で開示された。
【０２９７】
２０１３年７月１５日付けのドイツ実用新案第２０２０１３００６３２６号明細書と２０１４年２月１７日付けのドイツ実用新案第２０２０１４００１３３０号明細書の二つの実用新案及び２０１３年８月２４日付けのドイツ実用新案第２０１０１３００７５８９．９号明細書と２０１３年７月１５日付けのドイツ実用新案第２０２０１３００６３２５．４号明細書の二つの実用新案の優先権を主張する。
【符号の説明】
【０２９８】
［第一グループの発明］
１０    固定部材
１１    胴体部
１２    胴体頭部
１３    スプリングアーム
１４    第一の脚部
１５    第二の脚部
１６    第三の脚部
１７    第一の羽根部
１８    第二の羽根部
１９    第三の羽根部
２０    絶縁体
２１    穴
２２    打抜き片
２３    短辺側
２４    回路基板
２５    照明部品
２６    貫通穴
２７    空洞
２８    壁面
２９    取付工具
３０    取外工具
３１    作用面
３２    心出しピン
３３    心出し開口部
３５    リリースピン
３６    案内構造
３７    ロックアーム
３８    ロックスプリング
３９    ロックアーム３７の傾斜部
Ｌ      胴体部の縦軸
Ｕ１    変形線１
Ｕ２    変形線２
Ｕ３    変形線３
Ｕ４    変形線４
Ｓ１    切り込み１
Ｓ２    切り込み２
Ｘ      差込方向
［第二グループの発明］
２１０    固定部材
２１１    胴体部
２１２    胴体頭部
２１３    スプリングアーム
２１４    第一の脚部
２１５    第二の脚部
２１６    第三の脚部
２１７    第一の羽根部
２１８    第二の羽根部
２１９    第三の羽根部
２２０    絶縁体
２２１    穴
２２２    打抜き片
２２３    短辺側
２２４    回路基板
２２５    照明部品
２２６    貫通穴
２２７    空洞
２２８    壁面
２２９    取付工具
２３０    取外工具
２３１    窪み
２３２    心出しピン
２３３    心出し開口部
２３４    カラー部
２３５    リリースピン
２３６    案内構造
Ｌ      胴体部の縦軸
Ｕ１    変形線１
Ｕ２    変形線２
Ｕ３    変形線３
Ｕ４    変形線４
Ｓ１    切り込み１
Ｓ２    切り込み２
Ｘ      差込方向
［第三グループの発明］
３１０，３１１０，３２１０      固定手段
３１１，３１１１，３２１１      保持クリップ
３１２，３１１２，３２１２      胴体部
３１３，３１１３，３２１３      胴体羽根部
３１４，３１１４，３２１４      自由端
３１５，３１１５，３２１５      連結された端部
３１６，３１１６，３２１６      胴体頭部
３１７，３１１７，３２１７      隙間空間
３１８，３１１８，３２１８      差込突起
３１９，３１１９，３２１９      保持部
３２０，３１２０，３２２０      繋止フック
３２１，３１２１，３２２１      胴体首部
３２２，３１２２，３２２２      胴体解除区画
３２３，３１２３，３２２３      解除突起
３２４，３１２４              把持切欠き
３２２５                      操作器具
３１２６，３２２６            スプリング脚部／スプリング蝶番
３２２７                      解除穴
３３０，３１３０，３２３０    絶縁部材
３３１，３１３１，３２３１    絶縁頭部
３３２，３２３２              絶縁胴体部
３３３，３１３３，３２３３    第一の構成部品
３３４，３１３４，３２３４    第二の構成部品
３３５，３１３５，３２３５    回路基板
３３６，３１３６，３２３６    照明部品
３３７，３１３７，３２３７    導体路
３３８，３１３８，３２３８    貫通穴
３３９，３１３９，３２３９    空洞
３４０，３１４０，３２４０    クランプ部材
３４１，３１４１，３２４１    プライヤ頭部
３４２，３１４２，３２４２    プライヤ顎部
３１４３，３２４３            貫通穴／絶縁頭部の貫通穴
３２４４                      通路
３２４５                      絶縁胴体部の貫通穴
３２４６                      カラー部
３２４７                      内側リング空間
３２４８                      接合面
３２４９                      クランク区画
３２５０                      解除フック
３２５１                      フック端部
Ｘ                            差込方向
ｒ                            内径
Ｒ                            外径
［第四グループの発明］
４１１０    固定手段
４１１１    保持クリップ
４１１２    胴体部
４１１３    胴体羽根部
４１１４    自由端
４１１５    連結された端部
４１１６    胴体頭部
４１１７    隙間空間
４１１８    差込突起
４１１９    保持部
４１２０    繋止フック
４１２１    胴体首部
４１２２    胴体解除区画
４１２３    解除突起
４１２４    把持切欠き
４１２６    スプリング脚部／スプリング蝶番
４１３０    絶縁部材
４１３３    第一の構成部品
４１３４    第二の構成部品
４１３５    回路基板
４１３６    照明部品
４１３７    導体路
４１３８    貫通穴
４１３９    空洞
４１４１    プライヤ頭部
４１４２    プライヤ顎部
４１４３    貫通穴
Ｘ          差込方向
ｒ          内径
Ｒ          外径
［第五グループの発明］
５２１０    固定手段
５２１１    保持クリップ
５２１２    胴体部
５２１３    胴体羽根部
５２１４    自由端
５２１５    連結された端部
５２１６    胴体頭部
５２１７    隙間空間
５２１８    差込突起
５２１９    保持部
５２２０    繋止フック
５２２１    胴体首部
５２２４    把持切欠き
５２２５    操作器具
５２２７    解除穴
５２３３    第一の構成部品
５２３４    第二の構成部品
５２３５    回路基板
５２３６    照明部品
５２３７    導体路
５２３８    貫通穴
５２３９    空洞
５２４０    クランプ部材
５２４６    心出し部材
５２４７    内側リング空間
５２４９    クランク区画
５２５０    解除フック
５２５１    フック端部
５２５２    隙間
Ｌ          縦軸
Ｘ          差込又は操作方向
【図１】
2016530672.tif 000003
【図２】
2016530672.tif 000004
【図３】
2016530672.tif 000005
【図４】
2016530672.tif 000006
【図５】
2016530672.tif 000007
【図６】
2016530672.tif 000008
【図７】
2016530672.tif 000009
【図８】
2016530672.tif 000010
【図９】
2016530672.tif 000011
【図１０】
2016530672.tif 000012
【図１１】
2016530672.tif 000013
【図１２】
2016530672.tif 000014
【図１３】
2016530672.tif 000015
【図１４】
2016530672.tif 000016
【図１５】
2016530672.tif 000017
【図１６】
2016530672.tif 000018
【図１７】
2016530672.tif 000019
【図１８】
2016530672.tif 000020
【図２０１】
2016530672.tif 000021
【図２０２】
2016530672.tif 000022
【図２０３】
2016530672.tif 000023
【図２０４】
2016530672.tif 000024
【図２０５】
2016530672.tif 000025
【図２０６】
2016530672.tif 000026
【図２０７】
2016530672.tif 000027
【図２０８】
2016530672.tif 000028
【図２０９】
2016530672.tif 000029
【図２１０】
2016530672.tif 000030
【図２１１】
2016530672.tif 000031
【図２１２】
2016530672.tif 000032
【図２１３】
2016530672.tif 000033
【図２１４】
2016530672.tif 000034
【図２１５】
2016530672.tif 000035
【図２１６】
2016530672.tif 000036
【図３０１】
2016530672.tif 000037
【図３０２】
2016530672.tif 000038
【図３０３】
2016530672.tif 000039
【図３０４】
2016530672.tif 000040
【図３０５】
2016530672.tif 000041
【図３０６】
2016530672.tif 000042
【図３０７】
2016530672.tif 000043
【図３０８】
2016530672.tif 000044
【図３０９】
2016530672.tif 000045
【図３１０】
2016530672.tif 000046
【図３１１】
2016530672.tif 000047
【図３１２】
2016530672.tif 000048
【図３１３】
2016530672.tif 000049
【図３１４】
2016530672.tif 000050
【図３１５】
2016530672.tif 000051
【図３１６】
2016530672.tif 000052
【図３１７】
2016530672.tif 000053
【図３１８】
2016530672.tif 000054
【図３１９】
2016530672.tif 000055
【図３２０】
2016530672.tif 000056
【図３２１】
2016530672.tif 000057
【図３２２】
2016530672.tif 000058
【図３２３】
2016530672.tif 000059
【図３２４】
2016530672.tif 000060
【図３２５】
2016530672.tif 000061
【図３２６】
2016530672.tif 000062
【図３２７】
2016530672.tif 000063
【図３２８】
2016530672.tif 000064
【図３２９】
2016530672.tif 000065
【図３３０】
2016530672.tif 000066
【図３３１】
2016530672.tif 000067
【図３３２】
2016530672.tif 000068
【図４０１】
2016530672.tif 000069
【図４０２】
2016530672.tif 000070
【図４０３】
2016530672.tif 000071
【図４０４】
2016530672.tif 000072
【図４０５】
2016530672.tif 000073
【図４０６】
2016530672.tif 000074
【図４０７】
2016530672.tif 000075
【図４０８】
2016530672.tif 000076
【図４０９】
2016530672.tif 000077
【図４１０】
2016530672.tif 000078
【図５０１】
2016530672.tif 000079
【図５０２ａ】
2016530672.tif 000080
【図５０２ｂ】
2016530672.tif 000081
【図５０２ｃ】
2016530672.tif 000082
【図５０３】
2016530672.tif 000083
【図５０４】
2016530672.tif 000084
【図５０５】
2016530672.tif 000085
【図５０６】
2016530672.tif 000086
【図５０７】
2016530672.tif 000087
【図５０８】
2016530672.tif 000088
【図５０９】
2016530672.tif 000089
【図５１０】
2016530672.tif 000090
【手続補正書】
【提出日】平成27年12月14日(2015.12.14)
【手続補正１】
【補正対象書類名】明細書
【補正対象項目名】全文
【補正方法】変更
【補正の内容】
【発明の詳細な説明】
【技術分野】
【０００１】
本発明は、貫通穴を有する、ＬＥＤを装備した回路基板などの第一の構成部品と、めくら穴又は貫通穴などの空洞を有する、照明部品などの第二の構成部品とを固定する固定部材であって、
この固定部材を第二の構成部品に繋止する、ばね復元力を生み出す弾力的な少なくとも一つの保持部を有する胴体部と、
頭部の直径が胴体部の直径と比べて拡大された胴体頭部であって、この胴体部の一端に配置された胴体頭部と、
第二の構成部品に対して第一の構成部品を所定の押圧力により締め付けるクランプ部材と、
を備えた固定部材に関する。
【背景技術】
【０００２】
そのような固定部材は、照明産業の分野では、これまで知られていない。しかし、類似の固定部材は自動車工学の分野に存在する。それに関して、例えば、特許文献１を参照する。そこでは、その部材は、通常内装部品を車両の車体に固定する役割を果たしている。そのために、内装部品は、貫通穴、例えば、内装部品の厚さ全体を貫通する穴を有する。車体側には、通常同じく穴を有する薄板部品が配備されている。これらの内装部品の貫通穴と車体の穴の位置を揃える。更に、しばしばエクスパンディング・リベットとも呼ばれる、その固定部材は、貫通穴を通して穴の中に差し込まれる。その車体側の穴へのエクスパンディング・リベットの固定は、例えば、固定部材の胴体部に形成されたプラスチック製フィンによって、摩擦接合により行なうことができる。固定部材の繋止フックが繋止穴に嵌入することによって、繋止接続することも可能である。
【０００３】
照明器具産業の分野では、光源としてＬＥＤを備えた照明器具が益々製造されている。現在決まったＬＥＤ形式が定着している。即ち、ＬＥＤをプレート上に取り付けて、それを照明器具産業の供給部品として更なる用途のために提供することが一般的である。確かに、プレートの種類、材料及び形状が、そこに取り付けられるＬＥＤの数及び配置と同様に変化するが、そのプレートを照明部品に固定することは如何なる場合でも必要である。その場合、照明部品へのプレートの均一で平坦な押し付けは、ＬＥＤの最適な熱の排出を保証する。
【０００４】
従来技術では、特許文献２又は３により、そのようなプレートのための接続部品が周知である。それらは、プレートの固定形態をプレートに配置されたＬＥＤの電圧供給手段と一体化している。
【先行技術文献】
【特許文献】
【０００５】
【特許文献１】国際特許公開第２００５／０７１２７３号明細書
【特許文献２】ドイツ特許第１０２００８００５８２３号明細書
【特許文献３】ドイツ特許第１０２０１２００３５２０号明細書
【発明の概要】
【発明が解決しようとする課題】
【０００６】
これらの固定と電圧供給を一体化した接続部品が多くの場合に有利であっても、変化するプレート形態と照明器具の別の固定方法のためには、大幅に自動化された製作に採用することが可能な固定手段が必要となる。更に、良好な熱伝導を保証するためには、これらの接続部品が所定の押圧によりＬＥＤのプレートを照明部品上に保持することが必要である。
【課題を解決するための手段】
【０００７】
この課題は、請求項１の特徴、特に、クランプ部材が、ばね復元力を生み出すように弾力的に曲がることが可能であるとともに、胴体頭部の一部であるばね復元力を生み出す弾力的なクランプ脚部から構成され、このクランプ脚部が第一の構成部品に接して置かれるとの特徴部の特徴を有する固定手段によって解決される。
【０００８】
本発明の利点は、前述した固定部材により、回路基板の貫通穴を通して照明部品の空洞内に胴体部を簡単に挿入することによって、プレートを照明部品に確実に固定する手法が得られることである。この場合、固定部材は、有利な形態では、金属から製作され、その際、打抜き加工部材の変形により作成される。そのようにして、自動車技術の異質な従来技術と比べて非常に小さい固定部材において高い材料安定性が保証される。ここで提案した固定部材は、通常６ｍｍ以内の直径の胴体頭部と最大３ｍｍの直径で７ｍｍ以内の胴体部の長さを有する。
【０００９】
本発明の主要な利点は、胴体頭部自体が、クランプ脚部を有するクランプ部材を構成することである。そのため、クランプ頭部が、二つの構成部品、即ち、ＬＥＤプレートと照明部品の所定の相互位置を保証するクランプ機能を果たす。製作と取付を負担のかかるものとする可能性の有る追加の構成部品が不要となる。
【００１０】
特に、そのようにして、薄板から作成された打抜き片の変形によって固定部材を得ることが可能となり、それは効率的な製作を可能とする。
【００１１】
胴体頭部の一部としてのクランプ脚部が、胴体部の縦軸から、第一の構成部品の表面に向かって下り傾斜しており、固定部材を空洞に差し込んだ場合に、第一の構成部品の表面に突き当たることによって、ばね復元力を増大させる動きをクランプ脚部に起こすと規定される。
【００１２】
胴体部の一端に配置されて、第一の構成部品の表面に当接する方向に向けられた羽根部により胴体頭部を構成することを考慮した場合、胴体頭部を構成する羽根部は、クランプ脚部として構成することができ、そのため、二つの機能を果たすことは明らかである。それは、一方で、固定部材を第一の構成部品に保持し、他方で、二つの構成部品を互いに締め付けるクランプ力を加える役割を果たす。
【００１３】
具体的には、この胴体部は、胴体部の縦軸方向の第一の変形線に沿った薄板の変形によって得られる少なくとも二つの脚部から構成されると規定される。
【００１４】
更に、具体的な実施構成では、これらの羽根部が、胴体部の縦軸方向の変形線に沿った切り込みと、それにより作り出される脚部の頭部終端を第一の構成部品に設置するのに適した位置、特に、第一の構成部品に対して傾斜した位置に変形することとによって得られると規定される。
【００１５】
これらの切り込みが胴体部の領域における脚部区画を互いに分離することと、これらの脚部区画の中の少なくとも一つがばね復元力を生み出すように弾力的に胴体部の縦軸に向かって曲がることが可能であることとを特徴とする実施構成が特に有利である。
【００１６】
この胴体部のばね復元力を生み出すように弾力的に構成された脚部区画の主要な利点は、それらが胴体頭部のクランプ機能を一層支援することであると看做すことができる。即ち、第一の構成部品の貫通穴を通して第二の構成部品の空洞内に固定部材を差し込む場合、先ずは胴体頭部のクランプ脚部が第一の構成部品の表面に突き当たる。前述した実施構成によると、それらは、胴体部の縦軸から、第一の構成部品の表面に対して傾斜している場合、ばね復元力の増大により、差込方向Ｘと逆側に曲がり、そのようにして早くも或る程度のクランプ力を加える。更に、胴体部のばね復元力を生み出す弾力的な脚部区画が胴体部の縦軸方向に移動すると、更なるばね復元力の増大により、互いに固定すべき構成部品に作用するクランプ力を強化することとなる。
【００１７】
胴体部の縦軸方向の第二の変形線に沿った薄板の変形によって得られる第三の脚部を配備して、この第三の脚部と第二の脚部の間に第一の脚部を収容し、有利には、この第三の脚部の構成が第二の脚部と同じであり、特に、それらの脚部の長さが異なり、長い方の第一の脚部の胴体頭部と逆側の自由端がスプリングアームの形の保持部を構成すると規定される。
【００１８】
更に、この長い方の第一の脚部の自由端が、変形によって、少なくとも胴体部の差込方向Ｘに対して直角であるが、有利には、差込方向を向いた方向に向けられると規定される。
【００１９】
短い方の第二の脚部の胴体頭部と逆側の自由端が第一の脚部のスプリングアームのための当接面を構成すると規定される。
【００２０】
更に、胴体部方向における胴体頭部の下に、絶縁部材、例えば、エラストマー円板が配置されると規定される。それは、有利には、固定部材の胴体部を通すための中央の貫通穴を有する。この絶縁部材は、先ずは、例えば、導体路などの導電性部品に対して固定部材の金属製頭部を絶縁する機能を有する。更に、それがばね復元力を生み出す弾力的な絶縁部材である場合、この部材は、固定部材を差し込んだ時に、ばね復元力を生み出すように弾力的に変形して、差込方向を向いた力を加えることができる。
【００２１】
前述した通り、この胴体部は、少なくとも二つの脚部から構成される場合、胴体部の縦軸方向の第一の変形線に沿った薄板の変形によって得られる。
【００２２】
この実施構成の主要な利点は、そのようにして胴体部が曲げ力及び座屈力に対して安定することである。
【００２３】
脚部の長さが異なり、長い方の第一の脚部の自由端がスプリングアームの形の保持部を構成して、更に、長い方の第一の脚部の自由端が、変形によって、少なくとも胴体部の差込方向に対して直角であるが、有利には、差込方向を向いた方向に向けられると規定される場合、スプリングアームの形の保持部材を容易かつ経済的に製作できることが保証される。スプリングアームが第一の脚部に繋がっていることによって、スプリングアームは、めくら穴の直径よりも大きい長さを持つことができ、それは、スプリング特性に良い作用を及ぼし、可塑的な変形を防止する。
【００２４】
短い方の第二の脚部の胴体頭部と逆側の自由端は、第一の脚部のスプリングアームのための当接面を構成することができる。この場合、当接面は、ばね復元力を上回って、可塑的な変形を引き起こす位置変化に達することから、ばね復元力を生み出す弾力的なスプリングアームを保護するように配置される。即ち、スプリングアームのばね復元力が固定部材を照明部品側の空洞内に確実に保持し、そのようにしてプレートを照明部品に固定するのに十分であることを保証している。
【００２５】
この胴体頭部は、有利には、胴体部のスプリングアームと逆側の端部に配置された羽根部により構成され、特に、これらの羽根部は、胴体部の縦軸方向の変形線に沿った切り込みと、それにより作り出される脚部の頭部終端を胴体部の縦軸に対してほぼ直角の方向を向く位置に変形することとによって得られる。これらの羽根部は、それらの端部が構成部品に対して傾斜している場合、弾力的な絶縁体の無い使用時に、その弾力的な絶縁体の機能を果たして、構成部品に軸方向のクランプ力を加えることができる。そのようにして、固定部材が、特に、その頭部が、打抜き片の変形の範囲内で容易かつ効率的に製作できることを保証している。
【００２６】
この固定部材の胴体部の安定性を一層改善するために、胴体部の縦軸方向の第二の変形線に沿った薄板の変形によって得られる第三の脚部を配備して、この第三の脚部と第二の脚部の間に第一の脚部を収容すると規定される。この場合、第三の脚部の構成が第二の脚部と同じであると規定される。更に、これらの三つの脚部から構成される胴体部がほぼ三角形の横断面を有することを特徴とする実施構成が有利である。
【００２７】
本発明の更に別の利点及びより良好な理解は、以下における実施例の記述から得られる。
【図面の簡単な説明】
【００２８】
【図１】本発明による固定部材を作成するための打抜き片の平面図
【図２】この打抜き片の変形後の本発明による固定部材の斜視図
【図３】図２の図面の第一の側面図
【図４】図２の図面の第二の側面図
【図５】図２の固定部材を上から見た図
【図６】固定部材を取り付けた状態の側面図
【図７】図６の断面線Ａ−Ａに沿った断面図
【図８】図６の図面を上から見た図
【図９】図８の断面線Ｂ−Ｂに沿った断面図
【図１０】取付工具を含む照明部品、プレート及び固定部材の分解図
【図１１】取付工具の作用を図示する垂直断面図
【図１２】図１０と同様であるが、取外工具を含む分解図
【図１３】取外過程を図解した断面図
【図１４】本発明による固定部材の代替実施構成の第一の側面図
【図１５】図１４の固定部材の第二の側面図
【図１６】図１４の固定部材の断面線Ａ−Ａに沿った断面線
【図１７】図１４の固定部材を取り付けた状態を上から見た図
【図１８】図１７の断面線Ｂ−Ｂに沿った断面図
【発明を実施するための形態】
【００２９】
本発明による固定部材は、全体として符号１０を付与され、第一の実施構成を図１〜１２に図示している。
【００３０】
この固定部材１０は、先ずは胴体部１１と、胴体部１１の一端に配置された胴体頭部１２と、胴体部１１の胴体頭部１２と反対側の自由端で支持されたスプリングアーム１３とを有する。
【００３１】
この胴体部１１は、互いに一体的に材料結合により結合された三つの脚部から構成され、第一の脚部に符号１４を付与し、第二の脚部に符号１５を付与し、第三の脚部に符号１６を付与している。この胴体頭部１２は、三つの羽根部から構成され、第一の羽根部に符号１７を付与し、第二の羽根部に符号１８を付与し、第三の羽根部に符号１９を付与している。第一の羽根部１７は第一の脚部１４の一部であり、第二の羽根部１８は第二の脚部１５の一部であり、第三の羽根部１９は第三の脚部１６の一部である。この場合、羽根部１７，１８，１９は、胴体部の縦軸Ｌに対してほぼ直角の方向に向けられ、ここに図示された実施例では、ほぼ同じ円周角でずらして配置されている。具体的には、これらの羽根部１７，１８，１９は、胴体部の縦軸Ｌから、第一の構成部品２４の表面の方向に向かって傾斜して形成されるとともに、ばね復元力を生み出すように弾力的に構成されている。これらは、第一の構成部品２４に接して置かれるように配備される。
【００３２】
本発明による固定部材１０は、金属製薄板の打抜き片２２から作成される。それが図１に図示されている。胴体部の縦軸方向に延びる変形線Ｕ１とＵ２に沿った変形によって、これら三つの脚部１４，１５，１６が作成される。第二の脚部１５と第三の脚部１６は、それらの間に第一の脚部１４を収容する。この場合、第二の脚部１５と第三の脚部１６のスプリングアーム１３の側の端部が、第一の脚部１４と比べて短く形成されている。この場合、第二の脚部１５と第三の脚部１６を得るための変形は同じ方向に行なわれ、二つの脚部の胴体部の縦軸方向を向いた自由な外側輪郭が互いの方向に向けられている。
【００３３】
胴体頭部１２又はその三つの羽根部１７，１８，１９は、打抜き片が二つの切り込みＳ１とＳ２を有することによって得られる。これらの切り込みは、打抜き片２２のスプリングアーム１３と逆側の端部に変形線Ｕ１とＵ２に沿って設けられる。この場合、切り込みＳ１とＳ２の深さは、羽根部の長さを上回る。それに続き、羽根部１７，１８，１９は、胴体部の縦軸Ｌに対してほぼ直角の方向を向いて、縦軸から遠ざかるまで、変形線Ｕ４に沿って変形される。この変形線Ｕ４は、胴体部の縦軸Ｌに対してほぼ直角の方向を向く。
【００３４】
このスプリングアーム１３は、第一の脚部１４の脚部１５及び１６と比べて延長された区画が固定部材１０の差込方向Ｘと逆向きの方向を向くまで、この区画を変形線Ｕ３に沿って折り返すことによって得られる。この場合、スプリングアーム１３は、第二と第三の脚部１５，１６の縦方向の自由端の方向に向けられる。短い方の脚部１５及び１６の下方の短辺側２３は、固定部材１０を照明部品２５の空洞に差し込んだ時にスプリングアーム１３のばね復元力を生み出す弾力的な回避運動の終点を形成し、そのようにしてスプリングアーム１３の可塑的な変形から防止する、スプリングアーム１３のための当接面を構成する。
【００３５】
ここで、図６〜９に基づき、本発明による固定部材１０の動作形態を詳しく説明する。図６と８は、固定部材１０の取付状態の断面図と上から見た図を図示している。この固定部材１０は、前記の図面において、回路基板２４を照明部品２４上に保持している。特に、図８と９から明らかな通り、回路基板２４は、（ここではめくら穴として構成された）照明部品側の空洞２７の位置が揃うように配置された貫通穴２６を有する。この場合、回路基板２４は照明部品２５の上側に接して置かれる。この固定部材１０は、スプリングアーム１３を先頭にして差込方向Ｘに、先ずは貫通穴２６を通されて、めくら穴の形の空洞２７に挿入される。この場合、スプリングアーム１３は、空洞２７の壁面２８に当たり、それによって、ばね復元力を生み出すように弾力的に胴体部の第一の脚部１４の方向に曲がる。この場合、この曲がりと逆向きのばね力が発生して、スプリングアーム１３を壁面２８に押し付け、そのようにして固定部材１０と空洞２７の間の摩擦接合による結合を作り出す。この摩擦接合は、差込方向Ｘと逆向きの動きに対して固定部材１０を保持する。空洞２７に内周面の溝又は刻み込んだネジ山を設けた繋止結合が考えられる。
【００３６】
貫通穴２６及び空洞２７よりも直径が大きい胴体頭部１２は回路基板の上側に接して置かれる。そのようにして、胴体頭部は、回路基板２４を照明部品２５上に固く保持する。
【００３７】
この場合、胴体頭部１２はクランプ部材である。詳しくは、その羽根部１７，１８，１９が、それぞれクランプ脚部を構成する。これらは、固定部材１０を空洞２７に差し込んだ時に、回路基板２４に対して押し付けられる。それにより、羽根部１７，１８，１９が、回路基板２４に対して傾斜した静止位置から、差込方向Ｘと逆向きにばね復元力を生み出すように弾力的に曲がる。これらは、差込方向Ｘと逆向きの力を回路基板２４に加えて、照明部品２５に対して規定された通り、回路基板を締め付ける（スプリング式脚部１３は支承部としての役割を果たす）。これは、回路基板２４と照明部品２５の間の所定の押圧力によって、回路基板２４から、そのため、ここでは図示されていないＬＥＤから、冷却体としての役割を果たす照明部品２５への相応の熱の排出のために行なわれる所定の熱伝導が達成できるとの点において有利である。
【００３８】
図６の断面線Ａ−Ａに沿った断面図を図示した図７によると、第二と第三の脚部１５，１６の胴体部の縦軸に対して平行な自由端が互いに接するような大きさにまで羽根部の深さを延ばした場合、胴体部の脚部１４，１５，１６が、その互いの配置構成によって、胴体部にほぼ三角形の横断面輪郭を与えることが分かる。それに代わって、この場合、図７による図面において、第二と第三の脚部１５，１６の胴体部の縦軸に対して平行な自由端を直線により互いに接続した場合、ほぼ台形の横断面輪郭と呼ぶこともできる。
【００３９】
図１０〜１３に基づき、取付工具２９を用いた取付過程と固定部材１０の取外工具３０を用いた取外過程を説明する。
【００４０】
図１０と１２は、取付状態の分解図と固定部材１０の取外状態を図示している。図１１と１３は、ほぼ図９の断面図に対応するが、更に、取付工具２９又は取外工具３０を図示している。
【００４１】
図１０と１１の取付工具２９は、プレート側の作用面３１が胴体頭部１２を収容するための窪みを有するプランジャーとして構成されている。この作用面３１は、胴体頭部側の心出し開口部３３に嵌まり込む、胴体部の縦軸に対して平行な心出しピン３２を突き出している（図５、８、１１を参照）。この作用面３１は、胴体頭部を取付工具２９に保持するために磁化することができる。同様に、心出しピン３２を心出し開口部３３内に摩擦接合により保持し、そのようにして、固定部材１０を取付工具２９に保持することが考えられる。
【００４２】
ここで、固定部材１０を取り付けるために、固定部材１０を取付工具２９の作用面３１に付着させて、胴体部１１を先頭にして、回路基板２４の貫通穴２６を通して、照明部品２５の空洞２７に嵌入する。回路基板２４の表面に対して傾斜した、胴体部１１の羽根部１７，１８，１９が、回路基板の上側に当たって、ばね復元力を増大させて曲がる。スプリングアームが、差込運動の終了後に、羽根部１７，１８，１９のばね復元力に対抗して固定部材１０を空洞２７内に保持する。このばね復元力は、そのようにして、構成部品２４と２５を互いに締め付ける。
【００４３】
一つの実施構成は、胴体部の羽根部１７，１８，１９だけが、差込方向Ｘと逆向きに、ほぼ回路基板２４の上側に対して平行な天秤皿の位置にまで曲がるまで、ばね復元力を増大させると規定する。しかし、図示された実施例の通り、切り込みＳ１とＳ２は、羽根部１７，１８，１９の長さよりも深い場合、脚部１４，１５，１６の胴体頭部に近い区画を互いに分離する。これらの脚部区画は、同様にばね復元力を生み出すように弾力的に、詳しくは、胴体部の縦軸Ｌの方向に曲がることが可能である。固定部材１０を空洞２７に差し込んだ場合、各羽根部１７，１８，１９の脚部区画とそれらに作用する差込力が胴体部の縦軸Ｌの方向にずれる。その場合に発生する、これらの脚部区画のばね復元力は、羽根部１７，１８，１９を介して構成部品２４と２５を締め付けるように作用する。各羽根部１７，１８，１９は、それらに対応する脚部区画と共に、それぞれクランプ脚部を構成する。
【００４４】
この場合、これらの脚部区画だけがばね復元力を発生して、羽根部１７，１８，１９のばね力を不要とすることさえ可能である。
【００４５】
取付工具２９の引き出し後に、取付過程が終了する。
【００４６】
固定部材１０を取り外すための工具も配備される。それは、符号３０を付与され、固定部材１０を取り外すために、心出し開口部３３を通して空洞２７内に圧入されるリリースピン３５を有する。この場合、このリリースピン３５は、スプリングアーム１３に当たって、それを差込方向Ｘに可塑的に変形させて、その繋止位置から押し出す。それによって、スプリングアーム１３と空洞２７の壁面２８の間の摩擦接合が解除されて、固定部材１０を空洞２７から引き出すことができる。それは、有利には、同じく取外工具３０を用いて、心出し開口部３３を通して胴体部の内部空間にリリースピン３５を差し込むことで、胴体部の脚部１４，１５，１６とリリースピン３５の外側表面の間に摩擦接合を起こすことによって行なわれる。そのようにして、リリースピン３５を空洞２７から取り出す際に、固定部材１０はリリースピンに追随する。
【００４７】
第一の脚部１４の案内構造３６にも注目すべきである（図１３）。それは、リリリースピン３５をスプリングアーム１３の自由端の方に押し出し、その結果、リリリースピン３５は、スプリングアームを差込方向Ｘに変形させる。この案内構造３６は、リリリースピン３５がスプリングアーム１３上でその変形領域の方向に滑り、それにより、スプリングアーム１３を解除できるように変形する代わりに、より深く胴体部１１を空洞２７内に押し付ける虞が生じることを防止している。
【００４８】
図１４〜１８には、本発明の第二の実施構成が図示されている。そこの固定部材１０は、第一の実施構成の固定部材１０とほとんど同じであり、そのため、同じ構成要素には同じ符号を使用して、前の記述を参照する。以下では、主として二つの実施構成の間の相違点を取り上げる。
【００４９】
第二の実施構成の固定部材１０は、同じく打抜き片から作成され、胴体頭部１２を有する胴体部１１を備え、胴体部１１と胴体頭部１２は、第一の実施構成と同様に構成される。特に、胴体部１１は、胴体部の三つの脚部１４、１５及び１６から成り、胴体頭部１２は、三つの羽根部１７，１８及び１９から構成される。この実施構成でも胴体頭部１２は、その羽根部１７，１８及び１９と共に、場合によっては、切り込みＳ１とＳ２により互いに分離された胴体の脚部区画を用いて、クランプ部材としての役割を果たす。特に、図１６から分かる通り、この胴体部１１も、ほぼ三角形又は台形の形状に形成され、それによって、その安定性が著しく改善されている。
【００５０】
二つの実施構成の間の主な相違点は、第二の実施例の保持部に有る。第一の実施例は、特に、照明部品２５のめくら穴に固定するために規定され、そのため、主としてめくら穴内において摩擦接合により結合する役割を果たすスプリングアーム１３だけを有する。
【００５１】
それに対して、図１４〜１８の固定部材１０は、ロック固定するために規定されている。そのために、胴体の脚部１４，１５及び１６の中の少なくとも一つがロック部分３７、３８を有する。この実施例では、胴体の脚部１５と１６が、それぞれロック部分３７を有し、胴体の脚部１４は、ロックスプリング３８を有する。これらのロック部分３７，３８は、胴体の脚部１４，１５及び１６に対して周囲に広がる形に構成され、胴体の縦軸Ｌの方向に貫通穴２６内に差し込まれた場合、その静止位置からばね復元力を生み出すように弾力的に曲がる。ロック部分３７，３８が照明部品２５の空洞２７の領域内に挿入された場合にも同じことが起こる。
【００５２】
第二の実施例では、照明部品２５の空洞２７も貫通穴として構成され、その結果、胴体部１１の胴体頭部１２と逆側の終端区画が回路基板の貫通穴２６だけでなく、照明部品２５の空洞も貫通することができる。この差込方向Ｘへの差込過程では、胴体頭部を構成する羽根部１７，１８，１９及び／又は切り込みＳ１とＳ２によって互いに分離された胴体の脚部区画が、ばね復元力を生み出す弾力的な曲がりを受け、そのようにして、回路基板２４と照明部品２５の間の所定の押圧力を引き起こすクランプ力を増大させる。この差込方向への差込過程は、ロックアーム３７とロックスプリング３８が空洞２７を貫通して、それらの静止位置に動いて戻るまで行なわれる。その位置では、これらが、照明部品２５の下側を後ろ、又は下から支え、そのようにして、構成部品２４と２５を互いに固定する。それは、特に、図１８から見て取れる。
【００５３】
第二の実施例が固定部材１０を空洞２７内に固定する代替形態だけを示し、胴体頭部１２の羽根部１７，１８，１９及び／又は互いに分離された胴体の脚部区画によるクランプ部材の機能及び構成が第一の実施例と同様に構成されていることが分かる。
【００５４】
ロックアーム３７の傾斜部３９は、羽根部１７，１８，１９が引き起こすクランプ機能に大きな影響を与えること無く、構成部品２４と２５の厚さ全体において或る程度の許容範囲を平準化する役割を果たすことができる。特に、一般的に複数の固定部材１０を使用する場合に、個々のクランプ力の均一性が平坦な押圧力のための重要な指標となる。
【符号の説明】
【００５５】
１０    固定部材
１１    胴体部
１２    胴体頭部
１３    スプリングアーム
１４    第一の脚部
１５    第二の脚部
１６    第三の脚部
１７    第一の羽根部
１８    第二の羽根部
１９    第三の羽根部
２０    絶縁体
２１    穴
２２    打抜き片
２３    短辺側
２４    回路基板
２５    照明部品
２６    貫通穴
２７    空洞
２８    壁面
２９    取付工具
３０    取外工具
３１    作用面
３２    心出しピン
３３    心出し開口部
３５    リリースピン
３６    案内構造
３７    ロックアーム
３８    ロックスプリング
３９    ロックアーム３７の傾斜部
Ｌ      胴体部の縦軸
Ｕ１    変形線１
Ｕ２    変形線２
Ｕ３    変形線３
Ｕ４    変形線４
Ｓ１    切り込み１
Ｓ２    切り込み２
Ｘ      差込方向
【手続補正２】
【補正対象書類名】特許請求の範囲
【補正対象項目名】全文
【補正方法】変更
【補正の内容】
【特許請求の範囲】
【請求項１】
貫通穴（２６）を有する、ＬＥＤを装備した回路基板などの第一の構成部品（２４）をめくら穴又は貫通穴などの空洞（２７）を有する、照明部品などの第二の構成部品（２５）と固定する固定部材（１０）であって、
ばね復元力を生み出す弾力的な少なくとも一つの保持部を有し、固定部材（１０）を第二の構成部品（２５）に繋止する胴体部（１１）と、
頭部の直径が胴体部の直径と比べて拡大された胴体頭部（１２）であって、胴体部（１１）の一端に配置された胴体頭部（１２）と、
第二の構成部品（２５）に対して第一の構成部品（２４）を所定の押圧力により締め付けるクランプ部材と、
を有し、
このクランプ部材が、ばね復元力を生み出すように弾力的に曲がることが可能であるとともに、胴体頭部（１２）の一部であり、第一の構成部品に接して置かれる、ばね復元力を生み出す弾力的なクランプ脚部から構成される、
固定部材において、
この胴体部（１１）が、胴体部の縦軸方向の第一の変形線（Ｕ１）に沿った薄板の変形によって得られる少なくとも二つの脚部（１４，１５）から構成されることを特徴とする固定部材。
【請求項２】
請求項１に記載の固定部材において、
当該の胴体頭部（１２）の一部としてのクランプ脚部が、胴体部の縦軸から、第一の構成部品（２４）の表面に向かって下り傾斜しており、固定部材（１０）を空洞に差し込んだ場合に、第一の構成部品（２４）の表面に突き当たることによって、ばね復元力を増大させる動きをクランプ脚部に生じさせることを特徴とする固定部材。
【請求項３】
請求項１又は２に記載の固定部材において、
当該の胴体頭部（１２）が、胴体部（１１）の一端に配置された、第一の構成部品（２４）の表面に接して置かれる方向に向けられた羽根部（１７，１８，１９）により構成されることを特徴とする固定部材。
【請求項４】
請求項３に記載の固定部材において、
少なくとも一つの羽根部（１７，１８，１９）がクランプ部材としての役割を果たすことを特徴とする固定部材。
【請求項５】
請求項３又は４に記載の固定部材において、
当該の羽根部（１７，１８）が、胴体部の縦軸方向の変形線（Ｕ１，Ｕ２）に沿った切り込み（Ｓ１，Ｓ２）と、それにより生じる脚部（１４，１５）の頭部終端を第一の構成部品（２４）に接して置くのに適した位置に、特に、第一の構成部品に対して傾斜した位置に変形することとによって得られることを特徴とする固定部材。
【請求項６】
請求項５に記載の固定部材において、
当該の切り込み（Ｓ１，Ｓ２）が、胴体部（１１）の領域における脚部（１４，１５）の脚部区画を互いに分離することと、これらの脚部区画の中の少なくとも一つが胴体部の縦軸に対してばね復元力を生み出すように弾力的に曲がることが可能であることを特徴とする固定部材。
【請求項７】
請求項１から６までのいずれか一つに記載の固定部材において、
胴体部の縦軸方向の第二の変形線（Ｕ２）に沿った薄板の変形によって得られる第三の脚部（１６）が配備され、この第三の脚部が、第三の脚部と第二の脚部（１５）の間に第一の脚部（１４）を収容し、有利には、この第三の脚部（１６）の構成が第二の脚部（１５）と同じであることを特徴とする固定部材。
【請求項８】
請求項１に記載の固定部材において、
当該の脚部（１４，１５）の長さが異なり、長い方の第一の脚部（１４）の胴体頭部（１２）と逆側の自由端が、当該のスプリングアーム（１３）の形の保持部を構成することを特徴とする固定部材。
【請求項９】
請求項８に記載の固定部材において、
当該の長い方の第一の脚部（１４）の自由端が、変形によって、少なくとも胴体部（１１）の差込方向（Ｘ）に対して直角であるが、有利には、差込方向を向いた方向に向けられることを特徴とする固定部材。
【請求項１０】
請求項８に記載の固定部材において、
当該の短い方の第二の脚部（１５）の胴体頭部（１２）と逆側の自由端が、当該の第一の脚部（１４）のスプリングアーム（１３）のための当接面を構成することを特徴とする固定部材。
【手続補正３】
【補正対象書類名】図面
【補正対象項目名】全図
【補正方法】変更
【補正の内容】
【図１】
2016530672.tif 000091
【図２】
2016530672.tif 000092
【図３】
2016530672.tif 000093
【図４】
2016530672.tif 000094
【図５】
2016530672.tif 000095
【図６】
2016530672.tif 000096
【図７】
2016530672.tif 000097
【図８】
2016530672.tif 000098
【図９】
2016530672.tif 000099
【図１０】
2016530672.tif 000100
【図１１】
2016530672.tif 000101
【図１２】
2016530672.tif 000102
【図１３】
2016530672.tif 000103
【図１４】
2016530672.tif 000104
【図１５】
2016530672.tif 000105
【図１６】
2016530672.tif 000106
【図１７】
2016530672.tif 000107
【図１８】
2016530672.tif 000108
【国際調査報告】
2016530672.tif 000109
2016530672.tif 000110
2016530672.tif 000111
2016530672.tif 000112
2016530672.tif 000113
2016530672.tif 000114
2016530672.tif 000115
2016530672.tif 000116
2016530672.tif 000117
2016530672.tif 000118
2016530672.tif 000119
2016530672.tif 000120
2016530672.tif 000121
2016530672.tif 000122